(57)【要約】【課題】光記録媒体に複数の光ビームを入射させて情報の記録もしくは情報の再生を行うにあたり、複数の光学手段の位置関係についての設定及び維持における困難さを軽減でき、複数の光ビームの利用率の改善を図れるものとする。【解決手段】複数のレーザダイオードが線状に配列配置されて成る一次元ダイオードアレイ２１と、一次元ダイオードアレイ２１における複数のレーザダイオードに記録されるべき情報に基づく変調制御信号を供給する変調制御信号送出部２３と、一次元ダイオードアレイ２１からの複数のレーザ光ビームを光テープ２６に入射させる光学系２４とを備え、光学系２４が、一次元ダイオードアレイ２１から得られる複数の変調されたレーザ光ビームを、それについての幾何光学像が回折限界を越えて小とされる状態にまで絞り込んで光テープ２６に入射させ、光テープ２６に記録されるべき情報の記録が行われる状態となす。【選択図】　　　　図１
2004054985.tif 000002
【特許請求の範囲】
【請求項１】
光記録媒体を駆動する記録媒体駆動制御部と、
複数のレーザダイオードが線状に配列配置されて成る一次元ダイオードアレイを含んで構成されて、上記複数のレーザダイオードが夫々発する複数の光ビームを得る光源部と、
該光源部における複数のレーザダイオードに、記録されるべき情報に基づく複数の変調制御信号を供給して、上記複数のレーザダイオードが夫々発する、該複数のレーザダイオードの配列配置に応じて配列配置された複数の光ビームを、上記複数の変調制御信号に応じて夫々変調されたものとなす変調制御信号送出部と、
上記光源部から得られる複数の変調された光ビームを、該光ビームについての幾何光学像が回折限界を越えて小とされる状態にまで絞り込んで、上記記録媒体駆動制御部により駆動される光記録媒体に入射させ、該光記録媒体に上記記録されるべき情報の記録が行われる状態となす光学系と、
を備えて構成される情報記録装置。
【請求項２】
記録媒体駆動制御部によって駆動される光記録媒体が、走行するテープ状光記録媒体とされ、光学系が、各々について幾何光学像が回折限界を越えて小とされるべく絞り込まれた複数の光ビームを、上記テープ状光記録媒体に、該テープ状光記録媒体の走行方向に対して所定の角度をなす方向に線状に配列配置された光スポットを形成するものとして入射させることを特徴とする請求項１記載の情報記録装置。
【請求項３】
光学系によりテープ状光記録媒体に入射せしめられる複数の光ビームが、上記テープ状光記録媒体に形成する複数の光スポットの配列方向が、上記テープ状光記録媒体の走行方向に対して実質的に直交するものとされることを特徴とする請求項２記載の情報記録装置。
【請求項４】
テープ状光記録媒体を駆動して走行させる記録媒体駆動制御部と、
複数のレーザダイオードが線状に配列配置されて成る一次元ダイオードアレイを含んで構成されて、上記複数のレーザダイオードが夫々発する複数の光ビームを得る光源部と、
該光源部における複数のレーザダイオードに、記録されるべき情報に基づく複数の変調制御信号を供給して、上記複数のレーザダイオードが夫々発する、該複数のレーザダイオードの配列配置に応じて配列配置された複数の光ビームを、上記複数の変調制御信号に応じて夫々変調されたものとなす変調制御信号送出部と、
上記光源部から得られる複数の変調された光ビームを、該光ビームについての幾何光学像が実質的に回折限界のもとで得られる状態とすべく絞り込んで、上記記録媒体駆動制御部により駆動されて走行するテープ状光記録媒体に、該テープ状光記録媒体の走行方向に対して所定の角度をなす方向に線状に配列配置された光スポットを形成するものとして入射させ、該テープ状光記録媒体に上記記録されるべき情報の記録が行われる状態となす光学系と、
を備えて構成される情報記録装置。
【請求項５】
光記録媒体を駆動する記録媒体駆動制御部と、
複数のレーザダイオードが線状に配列配置されて成る一次元ダイオードアレイを含んで構成されて、上記複数のレーザダイオードが夫々発する複数の光ビームを得る光源部と、
複数の光変調手段が線状に配列配置されて成る一次元光変調部と、
上記光源部からの複数の光ビームを上記一次元光変調部における複数の光変調手段に入射させる第１の光学系と、
上記一次元光変調部の複数の光変調手段に、記録されるべき情報に基づく複数の変調制御信号を供給して、上記複数の光変調手段により、上記複数の変調制御信号に応じて変調されて、上記複数の光変調手段の配列配置に応じて配列配置された複数の光ビームが、上記一次元光変調部から得られる状態となす変調制御信号送出部と、
上記一次元光変調部から得られる複数の変調された光ビームを、該光ビームについての幾何光学像が回折限界を越えて小とされる状態にまで絞り込んで、上記記録媒体駆動制御部により駆動される光記録媒体に入射させ、該光記録媒体に上記記録されるべき情報の記録が行われる状態となす第２の光学系と、
を備えて構成される情報記録装置。
【請求項６】
一次元光変調部における複数の光変調手段の数が該複数の光変調手段に入射する複数の光ビームの数より大とされ、上記複数の光変調手段のうちの上記複数の光ビームが入射するものに、変調制御信号送出部からの複数の変調制御信号が供給されることを特徴とする請求項５記載の情報記録装置。
【請求項７】
一次元光変調部における複数の光変調手段の数が該複数の光変調手段に入射する複数の光ビームの数より大とされ、上記複数の光変調手段のうちの上記複数の光ビームのうちの一つが入射する複数個に、変調制御信号送出部からの同じ変調制御信号が供給されることを特徴とする請求項５記載の情報記録装置。
【請求項８】
記録媒体駆動制御部によって駆動される光記録媒体が、走行するテープ状光記録媒体とされ、第２の光学系が、幾何光学像が回折限界を越えて小とされる状態にまで絞り込まれた複数の光ビームを、上記テープ状光記録媒体に、該テープ状光記録媒体の走行方向に対して所定の角度をなす方向に線状に配列配置された光スポットを形成するものとして入射させることを特徴とする請求項５記載の情報記録装置。
【請求項９】
第２の光学系によりテープ状光記録媒体に入射せしめられる複数の光ビームが、上記テープ状光記録媒体に形成する複数の光スポットの配列方向が、上記テープ状光記録媒体の走行方向に対して実質的に直交するものとされることを特徴とする請求項８記載の情報記録装置。
【請求項１０】
テープ状光記録媒体を駆動して走行させる記録媒体駆動制御部と、
複数のレーザダイオードが線状に配列配置されて成る一次元ダイオードアレイを含んで構成されて、上記複数のレーザダイオードが夫々発する複数の光ビームを得る光源部と、
複数の光変調手段が線状に配列配置されて成る一次元光変調部と、
上記光源部からの複数の光ビームを上記一次元光変調部における複数の光変調手段に入射させる第１の光学系と、
上記一次元光変調部の複数の光変調手段に、記録されるべき情報に基づく複数の変調制御信号を供給して、上記複数の光変調手段により、上記複数の変調制御信号に応じて変調されて、上記複数の光変調手段の配列配置に応じて配列配置された複数の光ビームが、上記一次元光変調部から得られる状態となす変調制御信号送出部と、
上記一次元光変調部から得られる複数の変調された光ビームを、該光ビームについての幾何光学像が実質的に回折限界のもとで得られる状態とすべく絞り込んで、上記記録媒体駆動制御部により駆動されて走行するテープ状光記録媒体に、該テープ状光記録媒体の走行方向に対して所定の角度をなす方向に線状に配列配置された光スポットを形成するものとして入射させ、該テープ状光記録媒体に上記記録されるべき情報の記録が行われる状態となす第２の光学系と、
を備えて構成される情報記録装置。
【請求項１１】
一次元光変調部における複数の光変調手段の数が該複数の光変調手段に入射する複数の光ビームの数より大とされ、上記複数の光変調手段のうちの上記複数の光ビームが入射するものに、変調制御信号送出部からの複数の変調制御信号が供給されることを特徴とする請求項１０記載の情報記録装置。
【請求項１２】
一次元光変調部における複数の光変調手段の数が該複数の光変調手段に入射する複数の光ビームの数より大とされ、上記複数の光変調手段のうちの上記複数の光ビームのうちの一つが入射する複数個に、変調制御信号送出部からの同じ変調制御信号が供給されることを特徴とする請求項１０記載の情報記録装置。
【請求項１３】
光記録媒体を駆動する記録媒体駆動制御部と、
複数のレーザダイオードが線状に配列配置されて成る一次元ダイオードアレイを含んで構成されて、上記複数のレーザダイオードが夫々発する複数の光ビームを得る第１の光源部と、
該第１の光源部における複数のレーザダイオードに、記録されるべき情報に基づく複数の変調制御信号を供給して、上記複数のレーザダイオードが夫々発する、該複数のレーザダイオードの配列配置に応じて配列配置された複数の光ビームを、上記複数の変調制御信号に応じて夫々変調されたものとなす変調制御信号送出部と、
上記第１の光源部から得られる複数の変調された光ビームを、該光ビームについての幾何光学像が回折限界を越えて小とされる状態にまで絞り込んで、上記記録媒体駆動制御部により駆動される光記録媒体に入射させ、該光記録媒体に上記記録されるべき情報の記録が行われる状態となす第１の光学系と、
光ビームを発する第２の光源部と、
該第２の光源部からの光ビームを上記記録媒体駆動制御部により駆動される光記録媒体に入射させて、該光記録媒体に記録された情報に応じて変調された光ビームが上記光記録媒体から得られる状態となす第２の光学系と、
入射する光ビームの変化に応じて変化する出力信号を発生する光検出部と、
上記第２の光源部からの光ビームが入射する上記光記録媒体から得られる光ビームを上記光検出部に入射させる第３の光学系と、
上記光検出部から得られる出力信号に基づいて上記光記録媒体に記録された情報を再生する情報再生部と、
を備えて構成される情報記録再生装置。
【請求項１４】
第２の光源部が、実質的に共通面内に配列配置される複数の光ビームを発することを特徴とする請求項１３記載の情報記録再生装置。
【請求項１５】
テープ状光記録媒体を駆動して走行させる記録媒体駆動制御部と、
複数のレーザダイオードが線状に配列配置されて成る一次元ダイオードアレイを含んで構成されて、上記複数のレーザダイオードが夫々発する複数の光ビームを得る第１の光源部と、
該第１の光源部における複数のレーザダイオードに、記録されるべき情報に基づく複数の変調制御信号を供給して、上記複数のレーザダイオードが夫々発する、該複数のレーザダイオードの配列配置に応じて配列配置された複数の光ビームを、上記複数の変調制御信号に応じて夫々変調されたものとなす変調制御信号送出部と、
上記第１の光源部から得られる複数の変調された光ビームを、該光ビームについての幾何光学像が実質的に回折限界のもとで得られる状態とすべく絞り込んで、上記記録媒体駆動制御部により駆動されて走行するテープ状光記録媒体に、該テープ状光記録媒体の走行方向に対して所定の角度をなす方向に線状に配列配置された光スポットを形成するものとして入射させ、該テープ状光記録媒体に上記記録されるべき情報の記録が行われる状態となす第１の光学系と、
光ビームを発する第２の光源部と、
該第２の光源部からの光ビームを上記記録媒体駆動制御部により駆動されるテープ状光記録媒体に入射させて、該テープ状光記録媒体に記録された情報に応じて変調された光ビームが上記テープ状光記録媒体から得られる状態となす第２の光学系と、
入射する光ビームの変化に応じて変化する出力信号を発生する光検出部と、
上記第２の光源部からの光ビームが入射する上記テープ状光記録媒体から得られる光ビームを上記光検出部に入射させる第３の光学系と、
上記光検出部から得られる出力信号に基づいて上記テープ状光記録媒体に記録された情報を再生する情報再生部と、
を備えて構成される情報記録再生装置。
【請求項１６】
第２の光源部が、実質的に共通面内に配列配置される複数の光ビームを発することを特徴とする請求項１５記載の情報記録再生装置。
【請求項１７】
光記録媒体を駆動する記録媒体駆動制御部と、
複数のレーザダイオードが線状に配列配置されて成る一次元ダイオードアレイを含んで構成されて、上記複数のレーザダイオードが夫々発する複数の光ビームを得る第１の光源部と、
複数の光変調手段が線状に配列配置されて成る一次元光変調部と、
上記第１の光源部からの複数の光ビームを上記一次元光変調部における複数の光変調手段に入射させる第１の光学系と、
上記一次元光変調部の複数の光変調手段に、記録されるべき情報に基づく複数の変調制御信号を供給して、上記複数の光変調手段により、上記複数の変調制御信号に応じて変調されて、上記複数の光変調手段の配列配置に応じて配列配置された複数の光ビームが、上記一次元光変調部から得られる状態となす変調制御信号送出部と、
上記一次元光変調部から得られる複数の変調された光ビームを、該光ビームについての幾何光学像が回折限界を越えて小とされる状態にまで絞り込んで、上記記録媒体駆動制御部により駆動される光記録媒体に入射させ、該光記録媒体に上記記録されるべき情報の記録が行われる状態となす第２の光学系と、
光ビームを発する第２の光源部と、
該第２の光源部からの光ビームを上記記録媒体駆動制御部により駆動される光記録媒体に入射させて、該光記録媒体に記録された情報に応じて変調された光ビームが上記光記録媒体から得られる状態となす第３の光学系と、
入射する光ビームの変化に応じて変化する出力信号を発生する光検出部と、
上記第２の光源部からの光ビームが入射する上記光記録媒体から得られる光ビームを上記光検出部に入射させる第４の光学系と、
上記光検出部から得られる出力信号に基づいて上記光記録媒体に記録された情報を再生する情報再生部と、
を備えて構成される情報記録再生装置。
【請求項１８】
第２の光源部が、実質的に共通面内に配列配置される複数の光ビームを発することを特徴とする請求項１７記載の情報記録再生装置。
【請求項１９】
テープ状光記録媒体を駆動して走行させる記録媒体駆動制御部と、
複数のレーザダイオードが線状に配列配置されて成る一次元ダイオードアレイを含んで構成されて、上記複数のレーザダイオードが夫々発する複数の光ビームを得る第１の光源部と、
複数の光変調手段が線状に配列配置されて成る一次元光変調部と、
上記第１の光源部からの複数の光ビームを上記一次元光変調部における複数の光変調手段に入射させる第１の光学系と、
上記一次元光変調部の複数の光変調手段に、記録されるべき情報に基づく複数の変調制御信号を供給して、上記複数の光変調手段により、上記複数の変調制御信号に応じて変調されて、上記複数の光変調手段の配列配置に応じて配列配置された複数の光ビームが、上記一次元光変調部から得られる状態となす変調制御信号送出部と、
上記一次元光変調部から得られる複数の変調された光ビームを、該光ビームについての幾何光学像が実質的に回折限界のもとで得られる状態とすべく絞り込んで、上記記録媒体駆動制御部により駆動されて走行するテープ状光記録媒体に、該テープ状光記録媒体の走行方向に対して所定の角度をなす方向に線状に配列配置された光スポットを形成するものとして入射させ、該テープ状光記録媒体に上記記録されるべき情報の記録が行われる状態となす第２の光学系と、
光ビームを発する第２の光源部と、
該第２の光源部からの光ビームを上記記録媒体駆動制御部により駆動されるテープ状光記録媒体に入射させて、該テープ状光記録媒体に記録された情報に応じて変調された光ビームが上記テープ状光記録媒体から得られる状態となす第３の光学系と、
入射する光ビームの変化に応じて変化する出力信号を発生する光検出部と、
上記第２の光源部からの光ビームが入射する上記テープ状光記録媒体から得られる光ビームを上記光検出部に入射させる第４の光学系と、
上記光検出部から得られる出力信号に基づいて上記テープ状光記録媒体に記録された情報を再生する情報再生部と、
を備えて構成される情報記録再生装置。
【請求項２０】
第２の光源部が、実質的に共通面内に配列配置される複数の光ビームを発することを特徴とする請求項１９記載の情報記録再生装置。
【請求項２１】
光記録媒体を駆動する記録媒体駆動制御部と、
複数のレーザダイオードが線状に配列配置されて成る一次元ダイオードアレイを含んで構成されて、上記複数のレーザダイオードが夫々発する複数の光ビームを得る光源部と、
該光源部における複数のレーザダイオードに、記録されるべき情報に基づく複数の変調制御信号もしくは予め設定された変調制御信号を供給して、上記複数のレーザダイオードが夫々発する、該複数のレーザダイオードの配列配置に応じて配列配置された複数の光ビームを、上記変調制御信号に応じて夫々変調されたものもしくは変調されないものとなす変調制御信号送出部と、
上記光源部からの複数の光ビームが入射する偏光ビームスプリッタと、
該偏光ビームスプリッタを透過した、もしくは、該偏光ビームスプリッタにおいて反射した上記光源部からの複数の光ビームを、該光ビームについての幾何光学像が回折限界を越えて小とされる状態にまで絞り込んで、上記記録媒体駆動制御部により駆動される光記録媒体に入射させ、該光記録媒体に上記記録されるべき情報の記録が行われる状態、もしくは、該光記録媒体に記録された情報に応じて変調された複数の光ビームが上記光記録媒体から得られる状態となす第１の光学系と、
入射する光ビームの変化に応じて変化する出力信号を発生する光検出部と、
上記記録媒体駆動制御部により駆動される光記録媒体から得られ、上記偏光ビームスプリッタにおいて反射した、もしくは、上記偏光ビームスプリッタを透過した複数の光ビームを、上記光検出部に入射させる第２の光学系と、
上記光検出部から得られる出力信号に基づいて上記光記録媒体に記録された情報を再生する情報再生部と、
を備えて構成される情報記録再生装置。
【請求項２２】
記録媒体駆動制御部によって駆動される光記録媒体が、走行するテープ状光記録媒体とされ、第１の光学系が、幾何光学像が回折限界を越えて小とされる状態にまで絞り込まれた複数の光ビームを、上記テープ状光記録媒体に、該テープ状光記録媒体の走行方向に対して所定の角度をなす方向に線状に配列配置された光スポットを形成するものとして入射させることを特徴とする請求項２１記載の情報記録再生装置。
【請求項２３】
第１の光学系によりテープ状光記録媒体に入射せしめられる複数の光ビームが、上記テープ状光記録媒体に形成する複数の光スポットの配列方向が、上記テープ状光記録媒体の走行方向に対して実質的に直交するものとされることを特徴とする請求項２２記載の情報記録再生装置。
【請求項２４】
第１の光学系が、記録媒体駆動制御部により駆動される光記録媒体に入射する複数の光ビームについてのフォーカス制御及びトラッキング制御を行う光ビーム制御手段を含んで構成されることを特徴とする請求項２１記載の情報記録再生装置。
【請求項２５】
記録媒体駆動制御部により駆動される光記録媒体からの光ビームを受け、該光ビームに応じて、上記光記録媒体に入射する光ビームのフォーカス状態及びトラッキング状態の一方もしくは両方をあらわす出力信号を得るフォーカス・トラッキング検出部を備え、第２の光学系が、上記記録媒体駆動制御部により駆動される光記録媒体から得られ、偏光ビームスプリッタにおいて反射した、もしくは、上記偏光ビームスプリッタを透過した複数の光ビームを、光検出部と上記フォーカス・トラッキング検出部との両者に入射させる光ビームスプリッタを含んで構成されることを特徴とする請求項２４記載の情報記録再生装置。
【請求項２６】
テープ状光記録媒体を駆動して走行させる記録媒体駆動制御部と、
複数のレーザダイオードが線状に配列配置されて成る一次元ダイオードアレイを含んで構成されて、上記複数のレーザダイオードが夫々発する複数の光ビームを得る光源部と、
該光源部における複数のレーザダイオードに、記録されるべき情報に基づく複数の変調制御信号もしくは予め設定された変調制御信号を供給して、上記複数のレーザダイオードが夫々発する、該複数のレーザダイオードの配列配置に応じて配列配置された複数の光ビームを、上記変調制御信号に応じて夫々変調されたものもしくは変調されないものとなす変調制御信号送出部と、
上記光源部からの複数の光ビームが入射する偏光ビームスプリッタと、
該偏光ビームスプリッタを透過した、もしくは、該偏光ビームスプリッタにおいて反射した上記光源部からの複数の光ビームを、該光ビームについての幾何光学像が実質的に回折限界のもとで得られる状態とすべく絞り込んで、上記記録媒体駆動制御部により駆動されて走行するテープ状光記録媒体に、該テープ状光記録媒体の走行方向に対して所定の角度をなす方向に線状に配列配置された光スポットを形成するものとして入射させ、該テープ状光記録媒体に上記記録されるべき情報の記録が行われる状態、もしくは、該テープ状光記録媒体に記録された情報に応じて変調された複数の光ビームが上記テープ状光記録媒体から得られる状態となす第１の光学系と、
入射する光ビームの変化に応じて変化する出力信号を発生する光検出部と、
上記記録媒体駆動制御部により駆動されるテープ状光記録媒体から得られ、上記偏光ビームスプリッタにおいて反射した、もしくは、上記偏光ビームスプリッタを透過した複数の光ビームを、上記光検出部に入射させる第２の光学系と、
上記光検出部から得られる出力信号に基づいて上記テープ状光記録媒体に記録された情報を再生する情報再生部と、
を備えて構成される情報記録再生装置。
【請求項２７】
第１の光学系が、記録媒体駆動制御部により駆動されるテープ状光記録媒体に入射する複数の光ビームについてのフォーカス制御及びトラッキング制御を行う光ビーム制御手段を含んで構成されることを特徴とする請求項２６記載の情報記録再生装置。
【請求項２８】
記録媒体駆動制御部により駆動されるテープ状光記録媒体からの光ビームを受け、該光ビームに応じて、上記テープ状光記録媒体に入射する光ビームのフォーカス状態及びトラッキング状態の一方もしくは両方をあらわす出力信号を得るフォーカス・トラッキング検出部を備え、第２の光学系が、上記記録媒体駆動制御部により駆動されるテープ状光記録媒体から得られ、偏光ビームスプリッタにおいて反射した、もしくは、上記偏光ビームスプリッタを透過した複数の光ビームを、光検出部と上記フォーカス・トラッキング検出部との両者に入射させる光ビームスプリッタを含んで構成されることを特徴とする請求項２７記載の情報記録再生装置。
【請求項２９】
光記録媒体を駆動する記録媒体駆動制御部と、
複数のレーザダイオードが線状に配列配置されて成る一次元ダイオードアレイを含んで構成されて、上記複数のレーザダイオードが夫々発する複数の光ビームを得る光源部と、
複数の光変調手段が線状に配列配置されて成る一次元光変調部と、
上記光源部からの複数の光ビームを上記一次元光変調部における複数の光変調手段に入射させる第１の光学系と、
上記一次元光変調部の複数の光変調手段に、記録されるべき情報に基づく複数の変調制御信号もしくは予め設定された変調制御信号を供給して、上記複数の光変調手段により、上記変調制御信号に応じて夫々変調されたものもしくは変調されないものとされて、上記複数の光変調手段の配列配置に応じて配列配置された複数の光ビームが、上記一次元光変調部から得られる状態となす変調制御信号送出部と、
上記一次元光変調部からの複数の光ビームが入射する偏光ビームスプリッタと、
該偏光ビームスプリッタを透過した、もしくは、該偏光ビームスプリッタにおいて反射した上記一次元光変調部からの複数の光ビームを、該光ビームについての幾何光学像が回折限界を越えて小とされる状態にまで絞り込んで、上記記録媒体駆動制御部により駆動される光記録媒体に入射させ、該光記録媒体に上記記録されるべき情報の記録が行われる状態、もしくは、該光記録媒体に記録された情報に応じて変調された複数の光ビームが上記光記録媒体から得られる状態となす第２の光学系と、
入射する光ビームの変化に応じて変化する出力信号を発生する光検出部と、
上記記録媒体駆動制御部により駆動される光記録媒体から得られ、上記偏光ビームスプリッタにおいて反射した、もしくは、上記偏光ビームスプリッタを透過した複数の光ビームを、上記光検出部に入射させる第３の光学系と、
上記光検出部から得られる出力信号に基づいて上記光記録媒体に記録された情報を再生する情報再生部と、
を備えて構成される情報記録再生装置。
【請求項３０】
記録媒体駆動制御部によって駆動される光記録媒体が、走行するテープ状光記録媒体とされ、第２の光学系が、幾何光学像が回折限界を越えて小とされる状態にまで絞り込まれた複数の光ビームを、上記テープ状光記録媒体に、該テープ状光記録媒体の走行方向に対して所定の角度をなす方向に線状に配列配置された光スポットを形成するものとして入射させることを特徴とする請求項２９記載の情報記録再生装置。
【請求項３１】
第２の光学系によりテープ状光記録媒体に入射せしめられる複数の光ビームが、上記テープ状光記録媒体に形成する複数の光スポットの配列方向が、上記テープ状光記録媒体の走行方向に対して実質的に直交するものとされることを特徴とする請求項３０記載の情報記録再生装置。
【請求項３２】
第２の光学系が、記録媒体駆動制御部により駆動される光記録媒体に入射する複数の光ビームについてのフォーカス制御及びトラッキング制御を行う光ビーム制御手段を含んで構成されることを特徴とする請求項２９記載の情報記録再生装置。
【請求項３３】
記録媒体駆動制御部により駆動される光記録媒体からの光ビームを受け、該光ビームに応じて、上記光記録媒体に入射する光ビームのフォーカス状態及びトラッキング状態の一方もしくは両方をあらわす出力信号を得るフォーカス・トラッキング検出部を備え、第３の光学系が、上記記録媒体駆動制御部により駆動される光記録媒体から得られ、偏光ビームスプリッタにおいて反射した、もしくは、上記偏光ビームスプリッタを透過した複数の光ビームを、光検出部と上記フォーカス・トラッキング検出部との両者に入射させる光ビームスプリッタを含んで構成されることを特徴とする請求項３２記載の情報記録再生装置。
【請求項３４】
テープ状光記録媒体を駆動して走行させる記録媒体駆動制御部と、
複数のレーザダイオードが線状に配列配置されて成る一次元ダイオードアレイを含んで構成されて、上記複数のレーザダイオードが夫々発する複数の光ビームを得る光源部と、
複数の光変調手段が線状に配列配置されて成る一次元光変調部と、
上記光源部からの複数の光ビームを上記一次元光変調部における複数の光変調手段に入射させる第１の光学系と、
上記一次元光変調部の複数の光変調手段に、記録されるべき情報に基づく複数の変調制御信号もしくは予め設定された変調制御信号を供給して、上記複数の光変調手段により、上記変調制御信号に応じて夫々変調されたものもしくは変調されないものとされて、上記複数の光変調手段の配列配置に応じて配列配置された複数の光ビームが、上記一次元光変調部から得られる状態となす変調制御信号送出部と、
上記一次元光変調部からの複数の光ビームが入射する偏光ビームスプリッタと、
該偏光ビームスプリッタを透過した、もしくは、該偏光ビームスプリッタにおいて反射した上記一次元光変調部からの複数の光ビームを、該光ビームについての幾何光学像が実質的に回折限界のもとで得られる状態とすべく絞り込んで、上記記録媒体駆動制御部により駆動されて走行するテープ状光記録媒体に、該テープ状光記録媒体の走行方向に対して所定の角度を成す方向に線状に配列配置された光スポットを形成するものとして入射させ、該テープ状光記録媒体に上記記録されるべき情報の記録が行われる状態、もしくは、該テープ状光記録媒体に記録された情報に応じて変調された複数の光ビームが上記テープ状光記録媒体から得られる状態となす第２の光学系と、
入射する光ビームの変化に応じて変化する出力信号を発生する光検出部と、
上記記録媒体駆動制御部により駆動されるテープ状光記録媒体から得られ、上記偏光ビームスプリッタにおいて反射した、もしくは、上記偏光ビームスプリッタを透過した複数の光ビームを、上記光検出部に入射させる第３の光学系と、
上記光検出部から得られる出力信号に基づいて上記テープ状光記録媒体に記録された情報を再生する情報再生部と、
を備えて構成される情報記録再生装置。
【請求項３５】
第２の光学系が、記録媒体駆動制御部により駆動されるテープ状光記録媒体に入射する複数の光ビームについてのフォーカス制御及びトラッキング制御を行う光ビーム制御手段を含んで構成されることを特徴とする請求項３４記載の情報記録再生装置。
【請求項３６】
記録媒体駆動制御部により駆動されるテープ状光記録媒体からの光ビームを受け、該光ビームに応じて、上記テープ状光記録媒体に入射する光ビームのフォーカス状態及びトラッキング状態の一方もしくは両方をあらわす出力信号を得るフォーカス・トラッキング検出部を備え、第３の光学系が、上記記録媒体駆動制御部により駆動されるテープ状光記録媒体から得られ、偏光ビームスプリッタにおいて反射した、もしくは、上記偏光ビームスプリッタを透過した複数の光ビームを、光検出部と上記フォーカス・トラッキング検出部との両者に入射させる光ビームスプリッタを含んで構成されることを特徴とする請求項３５記載の情報記録再生装置。
【発明の詳細な説明】
【０００１】
【発明の属する技術分野】
本願の特許請求の範囲に記載された発明は、光記録媒体に記録されるべき情報に応じて変調された光ビームを入射させて、光記録媒体に記録されるべき情報が記録される状態を得る情報記録装置、及び、光記録媒体に記録されるべき情報に応じて変調された光ビームを入射させて、光記録媒体に記録されるべき情報が記録される状態と、情報が記録された光記録媒体に光ビームを入射させて、光記録媒体に記録された情報に応じて変調された光ビームが光記録媒体から得られ、それらに基づいて情報が再生される状態とを得る情報記録再生装置に関する。
【０００２】
【従来の技術】
記録媒体への情報の記録及び情報が記録された記録媒体からの情報の再生に関わる分野においては、例えば、比較的小規模な記録再生手段を用いての動画像データの記録及び再生が望まれるようになってきた環境にあって、記録媒体に対する情報の高密度記録化，記録もしくは再生情報の高転送レート化（高速化）等が、従前以上に求められている。こうしたもとで、情報の高密度記録化及び記録もしくは再生情報の高転送レート化の要求を満たすべく、光を用いての情報記録が可能とされた光記録媒体に、複数の光ビームを入射させて情報の記録さらには再生を行う、マルチビーム記録／再生技術が提案されている。
【０００３】
マルチビーム記録／再生技術にあっては、情報の記録さらには再生にレーザー光ビーム等の光ビームが用いられることにより情報の高密度記録化が図られ、また、情報の記録さらには再生に用いられる光ビームが互いに独立した複数ビームとされることにより、記録もしくは再生情報の高転送レート化が図られる。こうしたマルチビーム記録／再生技術が適用された情報記録再生装置の一つとして、光記録媒体としてテープ状を成すもの、即ち、光テープを用いる光テープ記録再生装置が、従来知られている（例えば、“Ｎｏｖｅｌ　ｄｉｇｉｔａｌ　ｏｐｔｉｃａｌ　ｔａｐｅ　ｒｅｃｏｒｄｅｒ　”，　Ｏａｋｌｅｙ，　Ｗｉｌｌｉａｍ　Ｓ．；　ＡＡ（ＬａｓｅｒＴａｐｅ　Ｉｎｃ．）　Ｐｕｂｌｉｃａｔｉｏｎ：　Ｐｒｏｃ．　ＳＰＩＥ　Ｖｏｌ．　２６０４，　ｐ．　２５６−２６２，参照）。
【０００４】
図２１は、従来提案されている光テープ記録再生装置の一例の要部を示す。この図２１に示される光テープ記録再生装置にあっては、単一のレーザ光ビームを平行光ビームとして連続的に発するレーザ光源１が備えられている。レーザ光源１から発せられたレーザ光ビームは、ビーム形成ホログラム２に入射する。
【０００５】
ビーム形成ホログラム２にあっては、レーザ光源１から発せられた平行光ビームである単一のレーザ光ビームが、各々が平行光ビームを成す複数のレーザ光ビームに分割される。即ち、ビーム形成ホログラム２は、単一の平行光ビームから複数の平行光ビームを分割形成するのである。
【０００６】
ビーム形成ホログラム２から得られる複数のレーザ光ビームは、偏光ビームスプリッタ３に入射し、偏光ビームスプリッタ３において図２１における下方に向かって反射し、１／４波長板４を通過して、集光レンズ５に入射する。集光レンズ５は、１／４波長板４を通過した複数のレーザ光ビームを、二次元光変調部６に集光入射させる。
【０００７】
二次元光変調部６は、共通平面部に複数の反射型光変調器が所定の相互間隔をおいて二次元的に配列配置されたものとされる。集光レンズ５からの複数のレーザ光ビームは、二次元光変調部６における共通平面部に、図２２に示される如くの二次元的に配列配置された複数の光スポットＰを形成するものとされる。図２２に示される光スポットＰは、その個数が８×８＝６４個とされる場合である。斯かる場合には、二次元光変調部６に二次元的に配列配置された６４本のレーザ光ビームが入射することになる。
【０００８】
二次元光変調部６の共通平面部に二次元的に配列配置された複数の反射型光変調器は、二次元光変調部６に入射する複数のレーザ光ビームが二次元光変調部６の共通平面部に形成する複数の光スポットＰに夫々対応する位置をとるものとされる。図２３は、二次元光変調部６における複数の反射型光変調器の配列配置状態の一例を示し、ここでは、複数の反射型光変調器の夫々がＬＭという符号が付された矩形部分とされている。そして、各反射型光変調器ＬＭに光スポットＰが形成される。
【０００９】
図２４に示される如く、二次元光変調部６の共通平面部に二次元的に配列配置された複数の反射型光変調器ＬＭの夫々における、レーザ光ビームが入射して光スポットＰが形成される光入射面に対向する背後面は、光反射面ＲＦを形成している。それにより、各反射型光変調器ＬＭに入射したレーザ光ビームは、光反射面ＲＦによって反射する。
【００１０】
このような二次元光変調部６に関連して、変調制御信号送出部７が設けられている。変調制御信号送出部７は、記録されるべき情報に応じた複数の変調制御信号ＳＭを形成し、それらを、二次元光変調部６における複数の反射型光変調器に夫々供給する。それにより、二次元光変調部６における複数の反射型光変調器の夫々は、上述の如くにして、そこに入射するとともにそこにおいて反射するレーザ光ビームを、変調制御信号ＳＭに応じて変調する。斯かるレーザ光ビームの変調は、入射するレーザ光ビームについての反射量を変調制御信号ＳＭに応じて変化させることによって行われる。なお、変調制御信号送出部７からの変調制御信号ＳＭの内容によっては、各反射型光変調器に入射するレーザ光ビームは、実質的に変調されることなく反射していくものとされる。
【００１１】
その結果、二次元光変調部６からは、その共通平面部に二次元的に配列配置された複数の反射型光変調器において夫々変調制御信号ＳＭに応じて変調されるとともに反射した複数のレーザ光ビーム、もしくは、その共通平面部に二次元的に配列配置された複数の反射型光変調器において夫々変調されることなく反射した複数のレーザ光ビームが、集光レンズ５に向かうものとして得られる。
【００１２】
二次元光変調部６から得られる複数のレーザ光ビームは、集光レンズ５及び１／４波長板４を通過して、偏光ビームスプリッタ３に入射する。この偏光ビームスプリッタ３に入射する二次元光変調部６から得られる複数のレーザ光ビームは、１／４波長板４を往復して通過したことになるので、偏光ビームスプリッタ３に入射するビーム形成ホログラム２からの複数のレーザ光ビームに比して偏光面が９０°回転したものとなっており、偏光ビームスプリッタ３を透過する。
【００１３】
偏光ビームスプリッタ３を透過した複数のレーザ光ビームは、１／４波長板８を通過して、光ビーム制御を行う光学系９を通じて、光記録媒体である光テープ１０に入射する。光学系９は、光テープ１０に入射する複数のレーザ光ビームの夫々に、光テープ１０上において適正な集束状態をとらせるフォーカス制御と、光テープ１０に入射する複数のレーザ光ビームの夫々を、光テープ１０上における適正な位置に入射させるトラッキング制御とを行う。また、光テープ１０は、図示が省略されているテープ駆動機構によって、例えば、矢印Ａによって示される方向に走行するものとされる。
【００１４】
光学系９を通じた複数のレーザ光ビームが光テープ１０に入射するにあたっては、例えば、図２５に示される如くに、光テープ１０に、複数のレーザ光ビームによる二次元的に配列配置された複数の光スポットＱが形成される。図２５に示される光スポットＱは、その個数が８×８＝６４個とされる場合である。斯かる場合には、光テープ１０に二次元的に配列配置された６４本のレーザ光ビームが入射することになる。
【００１５】
そして、光テープ１０に形成される二次元的に配列配置された複数の光スポットＱは、その配列配置における互いに直交する二つの配列方向のうちの一方が、矢印Ａによって示される光テープ１０の走行方向に対して、所定の角度αをなすものとされる。それにより、光テープ１０の走行に従って、光テープ１０上に、各々が光テープ１０の走行方向に沿った、光スポットＱの個数（例えば、６４個）に対応する数の記録トラックが、トラックピッチｔをもって形成されることになる。
【００１６】
光テープ１０に入射する複数のレーザ光ビームが、二次元光変調部６における変調を受けないものである場合には、それらが光テープ１０に記録された情報に応じて変調されるとともに光テープ１０において反射して、光テープ１０から光学系９に向かうものとして得られる。光テープ１０から得られる複数のレーザ光ビームは、光学系９及び１／４波長板８を通過して、偏光ビームスプリッタ３に入射する。この偏光ビームスプリッタ３に入射する光テープ１０から得られる複数のレーザ光ビームは、１／４波長板８を往復して通過したことになるので、偏光ビームスプリッタ３に入射する二次元光変調部６からの複数のレーザ光ビームに比して偏光面が９０°回転したものとなっており、偏光ビームスプリッタ３において図２１における右方に反射する。
【００１７】
偏光ビームスプリッタ３において反射した複数のレーザ光ビームは、光ビームスプリッタ１１に入射し、その一部が、光ビームスプリッタ１１において図２１における下方に反射され、例えば、シリンドリカルレンズ等の光学素子１２を通じて、フォーカス・トラッキング検出部１３に入射するとともに、他の一部が、光ビームスプリッタ１１を透過し、例えば、集光レンズ等の光学素子１４を通じて、光検出部１５に入射する。
【００１８】
フォーカス・トラッキング検出部１３は、光学素子１２を通じて入射する複数のレーザ光ビームに応じて、光テープ１０に入射する複数のレーザ光ビームについてのフォーカス状態をあらわす出力信号ＳＦ及びトラッキング状態をあらわす出力信号ＳＴを送出する。これらの出力信号ＳＦ及びＳＴは、光学系９における光テープ１０に入射する複数のレーザ光ビームの夫々に対するフォーカス制御及びトラッキング制御に用いられる。
【００１９】
また、光検出部１５は、各々が光学素子１４を通じて入射する複数のレーザ光ビームの夫々の変化に応じて変化する複数の出力信号ＳＩを得て、それらを情報再生部１６に供給する。情報再生部１６は、光検出部１５からの複数の出力信号ＳＩに基づいて、光テープ１０に記録された情報を再生する。
【００２０】
このような図２１に示される光テープ記録再生装置において、光テープ１０に対する記録されるべき情報の記録が行われる際には、変調制御信号送出部７から記録されるべき情報に応じて変化する複数の変調制御信号ＳＭが送出され、それらが二次元光変調部６における複数の反射型光変調器に夫々供給される。それにより、二次元光変調部６から、その共通平面部に二次元的に配列配置された複数の反射型光変調器において夫々変調制御信号ＳＭに応じて変調されるとともに反射した複数のレーザ光ビームが、集光レンズ５に向かうものとして得られる。
【００２１】
二次元光変調部６から得られる変調制御信号ＳＭに応じて変調された複数のレーザ光ビームは、集光レンズ５，１／４波長板４，偏光ビームスプリッタ３，１／４波長板８を経て、光学系９に到達し、光学系９によるフォーカス制御及びトラッキング制御を受けるもとで光テープ１０に入射する。その結果、光テープ１０における、変調制御信号ＳＭに応じて変調された複数のレーザ光ビームによる、記録されるべき情報の記録が行われて、光テープ１０上に記録されるべき情報が記録された複数の記録トラックが形成される。
【００２２】
一方、図２１に示される光テープ記録再生装置において、光テープ１０に記録された情報の再生が行われる際には、変調制御信号送出部７から予め設定された一定の複数の変調制御信号ＳＭが送出され、それらが二次元光変調部６における複数の反射型光変調器に夫々供給される。それにより、二次元光変調部６から、その共通平面部に二次元的に配列配置された複数の反射型光変調器において、変調されることなく、一定の反射量をもって反射した複数のレーザ光ビームが、集光レンズ５に向かうものとして得られる。
【００２３】
二次元光変調部６から得られる変調されていない複数のレーザ光ビームは、集光レンズ５，１／４波長板４，偏光ビームスプリッタ３，１／４波長板８を経て、光学系９に到達し、光学系９によるフォーカス制御及びトラッキング制御を受けるもとで光テープ１０に入射し、光テープ１０において、そこに記録された情報に応じて変調されるとともに反射し、光テープ１０から光学系９に向かうものとして得られる。光テープ１０から得られる光テープ１０に記録された情報に応じて変調された複数のレーザ光ビームは、１／４波長板８を通過し、偏光ビームスプリッタ３において反射し、光ビームスプリッタ１１によって、光学素子１２を通じてフォーカス・トラッキング検出部１３に分割入射するとともに、光学素子１４を通じて光検出部１５に分割入射するものとされる。
【００２４】
それにより、フォーカス・トラッキング検出部１３からは、光テープ１０に入射する複数のレーザ光ビームについてのフォーカス状態をあらわす出力信号ＳＦ及びトラッキング状態をあらわす出力信号ＳＴが得られ、また、光検出部１５からは、光テープ１０に記録された情報に応じて変調された複数のレーザ光ビームの夫々の変化に応じて変化する複数の出力信号ＳＩが得られて、それらが情報再生部１６に供給される。その結果、情報再生部１６において、光検出部１５からの複数の出力信号ＳＩに基づき、光テープ１０に記録された情報が再生される。
【００２５】
上述の如くの図２１に示される光テープ記録再生装置とは構成及び動作を異にする、二次元レーザダイオードアレイを用いた光テープ記録再生装置も、従来提案されている。図２６は、斯かる光テープ記録再生装置に用いられる二次元レーザダイオードアレイの一例を示す。図２６に示される二次元レーザダイオードアレイ１７にあっては、複数（例えば、３×３＝９個）の面発光レーザダイオード１８が、二次元的に配列配置されている。
【００２６】
二次元レーザダイオードアレイ１７は、図２７に示される如くに、二次元的に配列配置された複数の面発光レーザダイオード１８を、光テープ１９に近接対向もしくは相互接触対向させる状態をもって配される。そして、光テープ１９に対する記録されるべき情報の記録が行われる際には、複数の面発光レーザダイオード１８の夫々が、記録されるべき情報に応じて変調されたレーザ光ビームを発して、それを光テープ１９に入射させる。それにより、光テープ１９に記録されるべき情報が記録される。
【００２７】
斯かる際、例えば、図２８に示される如くに、二次元レーザダイオードアレイ１７における複数の面発光レーザダイオード１８の配列配置における互いに直交する二つの配列方向のうちの一方が、矢印Ｂによって示される光テープ１９の走行方向に対して、所定の角度βをなすものとされる。それにより、光テープ１９の走行に従って、光テープ１９上に、各々が光テープ１９の走行方向に沿った、面発光レーザダイオード１８の個数（例えば、９個）に対応する数の記録トラックが、トラックピッチｔ’をもって形成されることになる。
【００２８】
このようにして光テープ１９に記録された情報の再生が行われる際には、二次元レーザダイオードアレイ１７が、二次元的に配列配置された複数の面発光レーザダイオード１８を情報が記録された光テープ１９に近接対向もしくは相互接触対向させる状態をもって配され、複数の面発光レーザダイオード１８の夫々が、予め設定された一定のレーザ光ビームを発して、それを光テープ１９に入射させる。光テープ１９に入射したレーザ光ビームは、光テープ１８においてそこに記録された情報に応じて変調されるとともに反射されて、各面発光レーザダイオード１８に戻り、それにより、各面発光レーザダイオード１８が、戻り光ビームによって誘起される発振変動を生じる。この各面発光レーザダイオード１８が生じる発振変動が検出され、それにより得られる検出出力に基づいて、光テープ１９に記録された情報が再生される。
【００２９】
【発明が解決しようとする課題】
上述の従来提案された図２１に示される光テープ記録再生装置（ビーム形成ホログラム及び二次元光変調部が用いられた光テープ記録再生装置）にあっては、ビーム形成ホログラムによって単一のレーザ光ビームから分割形成される複数のレーザ光ビームが、二次元光変調部における二次元的に配列配置された複数の反射型光変調器に夫々入射するものとされる。このようなもとで、ビーム形成ホログラムからの複数のレーザ光ビームの夫々が二次元光変調部における対応する反射型光変調器に正確に入射する状態を得るためには、ビーム形成ホログラムから二次元光変調部までの様々な光学手段の位置関係が、厳格に設定されるとともに維持されることが必要とされる。しかしながら、実際に斯かる光学手段の位置関係を厳格に設定して維持することは、二次元光変調部における複数の反射型光変調器が二次元的に配列配置されていることにより、極めて困難とされる。そのため、光学手段の位置関係の不正確さに起因する必要なレーザ光ビームの欠損，レーザ光ビームの利用率の低下等々の不都合が生じてしまう。
【００３０】
さらに、光テープに入射する複数のレーザ光ビームが光テープ上に形成する二次元的に配列配置された複数の光スポットが、その配列配置における互いに直交する二つの配列方向のうちの一方が、光テープの走行方向に対して所定の角度を成すものとされるので、光テープに複数の記録トラックをもって記録される情報が、記録トラック間における位相差を有するものとされる。それゆえ、光テープに記録された情報の再生にあたり、情報再生部において、光検出部からの複数の検出信号に一括信号処理を施して、光テープに記録された情報を容易に再生するようになすことができず、光テープに記録された情報の再生に複雑な信号処理が要されることになってしまう。
【００３１】
また、上述の従来提案された図２６に示される二次元レーザダイオードアレイを用いる光テープ記録再生装置にあっては、二次元レーザダイオードアレイが、それにおいて二次元的に配列配置される複数の面発光レーザダイオードの夫々が、例えば、２０μＷ程度の極めて小なるパワーを有したレーザ光ビームを発するものとしてしか実現されていないので、実際には、二次元レーザダイオードアレイにおける複数の面発光レーザダイオードが、実質的に光テープに接触するものとされることが要される。それにより、光ビームを用いる情報記録もしくは情報再生における主たる特徴の一つである光記録媒体に対する無接触情報記録もしくは再生を行うことができて、光記録媒体に付着する異物等の影響を受け難いという利点が失われてしまう。
【００３２】
それに加えて、光テープに対向する二次元レーザダイオードアレイにおける二次元的に配列配置された複数の面発光レーザダイオードが、その配列配置における互いに直交する二つの配列方向のうちの一方が、光テープの走行方向に対して所定の角度をなすものとされるので、光テープに複数の記録トラックをもって記録される情報が、記録トラック間における位相差を有するものとされる。それゆえ、この場合にも、光テープに記録された情報の再生にあたり、情報再生部において、光検出部からの複数の検出信号に一括信号処理を施して、光テープに記録された情報を容易に再生するようになすことができず、光テープに記録された情報の再生に複雑な信号処理が要されることになってしまう。
【００３３】
斯かる点に鑑み、本願の特許請求の範囲に記載された発明は、光テープ等の光記録媒体に複数のレーザ光ビーム等の光ビームを入射させて、光記録媒体に対する情報の記録、もしくは、光記録媒体に対する情報の記録及び光記録媒体からの情報の再生を行うにあたり、光記録媒体に対する無接触情報記録もしくは再生を行うことができるもとで、複数の光ビームを透過もしくは反射させる複数の光学手段の位置関係についての設定及び維持における困難さが軽減されることになるとともに、複数の光ビームの利用率の改善が図られ、さらに、光記録媒体に記録された情報の再生が、複雑な信号処理が要されることなく、比較的容易に行われることになる情報記録装置及び情報記録再生装置を提供する。
【００３４】
【課題を解決するための手段】
本願の特許請求の範囲における請求項１から請求項３までのいずれかに記載された情報記録装置は、光記録媒体を駆動する記録媒体駆動制御部と、複数のレーザダイオードが線状に配列配置されて成る一次元ダイオードアレイを含んで構成されて、複数のレーザダイオードが夫々発する複数の光ビームを得る光源部と、光源部における複数のレーザダイオードに、記録されるべき情報に基づく複数の変調制御信号を供給して、複数のレーザダイオードが夫々発する、それらの配列配置に応じて配列配置された複数の光ビームを、複数の変調制御信号に応じて夫々変調されたものとなす変調制御信号送出部と、光源部から得られる複数の変調された光ビームを、それらについての幾何光学像が回折限界を越えて小とされる状態にまで絞り込んで、記録媒体駆動制御部により駆動される光記録媒体に入射させ、それに記録されるべき情報の記録が行われる状態となす光学系と、を備えて構成される。
【００３５】
本願の特許請求の範囲における請求項４に記載された情報記録装置は、テープ状光記録媒体を駆動して走行させる記録媒体駆動制御部と、複数のレーザダイオードが線状に配列配置されて成る一次元ダイオードアレイを含んで構成されて、複数のレーザダイオードが夫々発する複数の光ビームを得る光源部と、光源部における複数のレーザダイオードに、記録されるべき情報に基づく複数の変調制御信号を供給して、複数のレーザダイオードが夫々発する、それらの配列配置に応じて配列配置された複数の光ビームを、複数の変調制御信号に応じて夫々変調されたものとなす変調制御信号送出部と、光源部から得られる複数の変調された光ビームを、それらについての幾何光学像が実質的に回折限界のもとで得られる状態とすべく絞り込んで、記録媒体駆動制御部により駆動されて走行するテープ状光記録媒体に、その走行方向に対して所定の角度をなす方向に線状に配列配置された光スポットを形成するものとして入射させ、それに記録されるべき情報の記録が行われる状態となす光学系と、を備えて構成される。
【００３６】
本願の特許請求の範囲における請求項５から請求項９までのいずれかに記載された情報記録装置は、光記録媒体を駆動する記録媒体駆動制御部と、複数のレーザダイオードが線状に配列配置されて成る一次元ダイオードアレイを含んで構成されて、複数のレーザダイオードが夫々発する複数の光ビームを得る光源部と、複数の光変調手段が線状に配列配置されて成る一次元光変調部と、光源部からの複数の光ビームを一次元光変調部における複数の光変調手段に入射させる第１の光学系と、一次元光変調部の複数の光変調手段に、記録されるべき情報に基づく複数の変調制御信号を供給して、複数の光変調手段により、複数の変調制御信号に応じて変調されて、複数の光変調手段の配列配置に応じて配列配置された複数の光ビームが、一次元光変調部から得られる状態となす変調制御信号送出部と、一次元光変調部から得られる複数の変調された光ビームを、それらについての幾何光学像が回折限界を越えて小とされる状態にまで絞り込んで、記録媒体駆動制御部により駆動される光記録媒体に入射させ、それに記録されるべき情報の記録が行われる状態となす第２の光学系と、を備えて構成される。
【００３７】
本願の特許請求の範囲における請求項１０から請求項１２でのいずれかに記載された情報記録装置は、テープ状光記録媒体を駆動して走行させる記録媒体駆動制御部と、複数のレーザダイオードが線状に配列配置されて成る一次元ダイオードアレイを含んで構成されて、複数のレーザダイオードが夫々発する複数の光ビームを得る光源部と、複数の光変調手段が線状に配列配置されて成る一次元光変調部と、光源部からの複数の光ビームを一次元光変調部における複数の光変調手段に入射させる第１の光学系と、一次元光変調部の複数の光変調手段に、記録されるべき情報に基づく複数の変調制御信号を供給して、複数の光変調手段により、複数の変調制御信号に応じて変調されて、複数の光変調手段の配列配置に応じて配列配置された複数の光ビームが、一次元光変調部から得られる状態となす変調制御信号送出部と、一次元光変調部から得られる複数の変調された光ビームを、それらについての幾何光学像が実質的に回折限界のもとで得られる状態とすべく絞り込んで、記録媒体駆動制御部により駆動されて走行するテープ状光記録媒体に、その走行方向に対して所定の角度をなす方向に線状に配列配置された光スポットを形成するものとして入射させ、それに記録されるべき情報の記録が行われる状態となす第２の光学系と、を備えて構成される。
【００３８】
本願の特許請求の範囲における請求項１３または請求項１４に記載された情報記録再生装置は、光記録媒体を駆動する記録媒体駆動制御部と、複数のレーザダイオードが線状に配列配置されて成る一次元ダイオードアレイを含んで構成されて、複数のレーザダイオードが夫々発する複数の光ビームを得る第１の光源部と、第１の光源部における複数のレーザダイオードに、記録されるべき情報に基づく複数の変調制御信号を供給して、複数のレーザダイオードが夫々発する、それらの配列配置に応じて配列配置された複数の光ビームを、複数の変調制御信号に応じて夫々変調されたものとなす変調制御信号送出部と、第１の光源部から得られる複数の変調された光ビームを、それらについての幾何光学像が回折限界を越えて小とされる状態にまで絞り込んで、記録媒体駆動制御部により駆動される光記録媒体に入射させ、それに記録されるべき情報の記録が行われる状態となす第１の光学系と、光ビームを発する第２の光源部と、第２の光源部からの光ビームを記録媒体駆動制御部により駆動される光記録媒体に入射させて、光記録媒体に記録された情報に応じて変調された光ビームが光記録媒体から得られる状態となす第２の光学系と、入射する光ビームの変化に応じて変化する出力信号を発生する光検出部と、第２の光源部からの光ビームが入射する光記録媒体から得られる光ビームを光検出部に入射させる第３の光学系と、光検出部から得られる出力信号に基づいて光記録媒体に記録された情報を再生する情報再生部と、を備えて構成される。
【００３９】
本願の特許請求の範囲における請求項１５または請求項１６に記載された情報記録再生装置は、テープ状光記録媒体を駆動して走行させる記録媒体駆動制御部と、複数のレーザダイオードが線状に配列配置されて成る一次元ダイオードアレイを含んで構成されて、複数のレーザダイオードが夫々発する複数の光ビームを得る第１の光源部と、第１の光源部における複数のレーザダイオードに、記録されるべき情報に基づく複数の変調制御信号を供給して、複数のレーザダイオードが夫々発する、それらの配列配置に応じて配列配置された複数の光ビームを、複数の変調制御信号に応じて夫々変調されたものとなす変調制御信号送出部と、第１の光源部から得られる複数の変調された光ビームを、それらについての幾何光学像が実質的に回折限界のもとで得られる状態とすべく絞り込んで、記録媒体駆動制御部により駆動されて走行するテープ状光記録媒体に、その走行方向に対して所定の角度をなす方向に線状に配列配置された光スポットを形成するものとして入射させ、それに記録されるべき情報の記録が行われる状態となす第１の光学系と、光ビームを発する第２の光源部と、第２の光源部からの光ビームを記録媒体駆動制御部により駆動されるテープ状光記録媒体に入射させて、それに記録された情報に応じて変調された光ビームがテープ状光記録媒体から得られる状態となす第２の光学系と、入射する光ビームの変化に応じて変化する出力信号を発生する光検出部と、第２の光源部からの光ビームが入射するテープ状光記録媒体から得られる光ビームを光検出部に入射させる第３の光学系と、光検出部から得られる出力信号に基づいてテープ状光記録媒体に記録された情報を再生する情報再生部と、を備えて構成される。
【００４０】
本願の特許請求の範囲における請求項１７または請求項１８に記載された情報記録再生装置は、光記録媒体を駆動する記録媒体駆動制御部と、複数のレーザダイオードが線状に配列配置されて成る一次元ダイオードアレイを含んで構成されて、複数のレーザダイオードが夫々発する複数の光ビームを得る第１の光源部と、複数の光変調手段が線状に配列配置されて成る一次元光変調部と、第１の光源部からの複数の光ビームを一次元光変調部における複数の光変調手段に入射させる第１の光学系と、一次元光変調部の複数の光変調手段に、記録されるべき情報に基づく複数の変調制御信号を供給して、複数の光変調手段により、複数の変調制御信号に応じて変調されて、複数の光変調手段の配列配置に応じて配列配置された複数の光ビームが、一次元光変調部から得られる状態となす変調制御信号送出部と、一次元光変調部から得られる複数の変調された光ビームを、それらについての幾何光学像が回折限界を越えて小とされる状態にまで絞り込んで、記録媒体駆動制御部により駆動される光記録媒体に入射させ、それに記録されるべき情報の記録が行われる状態となす第２の光学系と、光ビームを発する第２の光源部と、第２の光源部からの光ビームを記録媒体駆動制御部により駆動される光記録媒体に入射させて、それに記録された情報に応じて変調された光ビームが光記録媒体から得られる状態となす第３の光学系と、入射する光ビームの変化に応じて変化する出力信号を発生する光検出部と、第２の光源部からの光ビームが入射する光記録媒体から得られる光ビームを光検出部に入射させる第４の光学系と、光検出部から得られる出力信号に基づいて光記録媒体に記録された情報を再生する情報再生部と、を備えて構成される。
【００４１】
本願の特許請求の範囲における請求項１９または請求項２０に記載された情報記録再生装置は、テープ状光記録媒体を駆動して走行させる記録媒体駆動制御部と、複数のレーザダイオードが線状に配列配置されて成る一次元ダイオードアレイを含んで構成されて、複数のレーザダイオードが夫々発する複数の光ビームを得る第１の光源部と、複数の光変調手段が線状に配列配置されて成る一次元光変調部と、第１の光源部からの複数の光ビームを一次元光変調部における複数の光変調手段に入射させる第１の光学系と、一次元光変調部の複数の光変調手段に、記録されるべき情報に基づく複数の変調制御信号を供給して、複数の光変調手段により、複数の変調制御信号に応じて変調されて、複数の光変調手段の配列配置に応じて配列配置された複数の光ビームが、一次元光変調部から得られる状態となす変調制御信号送出部と、一次元光変調部から得られる複数の変調された光ビームを、それらについての幾何光学像が実質的に回折限界のもとで得られる状態とすべく絞り込んで、記録媒体駆動制御部により駆動されて走行するテープ状光記録媒体に、その走行方向に対して所定の角度をなす方向に線状に配列配置された光スポットを形成するものとして入射させ、それに記録されるべき情報の記録が行われる状態となす第２の光学系と、光ビームを発する第２の光源部と、第２の光源部からの光ビームを記録媒体駆動制御部により駆動されるテープ状光記録媒体に入射させて、それに記録された情報に応じて変調された光ビームがテープ状光記録媒体から得られる状態となす第３の光学系と、入射する光ビームの変化に応じて変化する出力信号を発生する光検出部と、第２の光源部からの光ビームが入射するテープ状光記録媒体から得られる光ビームを光検出部に入射させる第４の光学系と、光検出部から得られる出力信号に基づいてテープ状光記録媒体に記録された情報を再生する情報再生部と、を備えて構成される。
【００４２】
本願の特許請求の範囲における請求項２１から請求項２５までのいずれかに記載された情報記録再生装置は、光記録媒体を駆動する記録媒体駆動制御部と、複数のレーザダイオードが線状に配列配置されて成る一次元ダイオードアレイを含んで構成されて、複数のレーザダイオードが夫々発する複数の光ビームを得る光源部と、光源部における複数のレーザダイオードに、記録されるべき情報に基づく複数の変調制御信号もしくは予め設定された変調制御信号を供給して、複数のレーザダイオードが夫々発する、それらの配列配置に応じて配列配置された複数の光ビームを、変調制御信号に応じて夫々変調されたものもしくは変調されないものとなす変調制御信号送出部と、光源部からの複数の光ビームが入射する偏光ビームスプリッタと、偏光ビームスプリッタを透過した、もしくは、偏光ビームスプリッタにおいて反射した光源部からの複数の光ビームを、それらについての幾何光学像が回折限界を越えて小とされる状態にまで絞り込んで、記録媒体駆動制御部により駆動される光記録媒体に入射させ、それに記録されるべき情報の記録が行われる状態、もしくは、それに記録された情報に応じて変調された複数の光ビームが光記録媒体から得られる状態となす第１の光学系と、入射する光ビームの変化に応じて変化する出力信号を発生する光検出部と、記録媒体駆動制御部により駆動される光記録媒体から得られ、偏光ビームスプリッタにおいて反射した、もしくは、偏光ビームスプリッタを透過した複数の光ビームを、光検出部に入射させる第２の光学系と、光検出部から得られる出力信号に基づいて光記録媒体に記録された情報を再生する情報再生部と、を備えて構成される。
【００４３】
本願の特許請求の範囲における請求項２６から請求項２８までのいずれかに記載された情報記録再生装置は、テープ状光記録媒体を駆動して走行させる記録媒体駆動制御部と、複数のレーザダイオードが線状に配列配置されて成る一次元ダイオードアレイを含んで構成されて、複数のレーザダイオードが夫々発する複数の光ビームを得る光源部と、光源部における複数のレーザダイオードに、記録されるべき情報に基づく複数の変調制御信号もしくは予め設定された変調制御信号を供給して、複数のレーザダイオードが夫々発する、それらの配列配置に応じて配列配置された複数の光ビームを、変調制御信号に応じて夫々変調されたものもしくは変調されないものとなす変調制御信号送出部と、光源部からの複数の光ビームが入射する偏光ビームスプリッタと、偏光ビームスプリッタを透過した、もしくは、偏光ビームスプリッタにおいて反射した光源部からの複数の光ビームを、それらについての幾何光学像が実質的に回折限界のもとで得られる状態とすべく絞り込んで、記録媒体駆動制御部により駆動されて走行するテープ状光記録媒体に、その走行方向に対して所定の角度をなす方向に線状に配列配置された光スポットを形成するものとして入射させ、それに記録されるべき情報の記録が行われる状態、もしくは、それに記録された情報に応じて変調された複数の光ビームがテープ状光記録媒体から得られる状態となす第１の光学系と、入射する光ビームの変化に応じて変化する出力信号を発生する光検出部と、記録媒体駆動制御部により駆動されるテープ状光記録媒体から得られ、偏光ビームスプリッタにおいて反射した、もしくは、偏光ビームスプリッタを透過した複数の光ビームを、光検出部に入射させる第２の光学系と、光検出部から得られる出力信号に基づいてテープ状光記録媒体に記録された情報を再生する情報再生部と、を備えて構成される。
【００４４】
本願の特許請求の範囲における請求項２９から請求項３３までのいずれかに記載された情報記録再生装置は、光記録媒体を駆動する記録媒体駆動制御部と、複数のレーザダイオードが線状に配列配置されて成る一次元ダイオードアレイを含んで構成されて、複数のレーザダイオードが夫々発する複数の光ビームを得る光源部と、複数の光変調手段が線状に配列配置されて成る一次元光変調部と、光源部からの複数の光ビームを一次元光変調部における複数の光変調手段に入射させる第１の光学系と、一次元光変調部の複数の光変調手段に、記録されるべき情報に基づく複数の変調制御信号もしくは予め設定された変調制御信号を供給して、複数の光変調手段により、変調制御信号に応じて夫々変調されたものもしくは変調されないものとされて、複数の光変調手段の配列配置に応じて配列配置された複数の光ビームが、一次元光変調部から得られる状態となす変調制御信号送出部と、一次元光変調部からの複数の光ビームが入射する偏光ビームスプリッタと、偏光ビームスプリッタを透過した、もしくは、偏光ビームスプリッタにおいて反射した一次元光変調部からの複数の光ビームを、それらについての幾何光学像が回折限界を越えて小とされる状態にまで絞り込んで、記録媒体駆動制御部により駆動される光記録媒体に入射させ、それに記録されるべき情報の記録が行われる状態、もしくは、それに記録された情報に応じて変調された複数の光ビームが光記録媒体から得られる状態となす第２の光学系と、入射する光ビームの変化に応じて変化する出力信号を発生する光検出部と、記録媒体駆動制御部により駆動される光記録媒体から得られ、偏光ビームスプリッタにおいて反射した、もしくは、偏光ビームスプリッタを透過した複数の光ビームを、光検出部に入射させる第３の光学系と、光検出部から得られる出力信号に基づいて光記録媒体に記録された情報を再生する情報再生部と、を備えて構成される。
【００４５】
本願の特許請求の範囲における請求項３４から請求項３６までのいずれかに記載された情報記録再生装置は、テープ状光記録媒体を駆動して走行させる記録媒体駆動制御部と、複数のレーザダイオードが線状に配列配置されて成る一次元ダイオードアレイを含んで構成されて、複数のレーザダイオードが夫々発する複数の光ビームを得る光源部と、複数の光変調手段が線状に配列配置されて成る一次元光変調部と、光源部からの複数の光ビームを一次元光変調部における複数の光変調手段に入射させる第１の光学系と、一次元光変調部の複数の光変調手段に、記録されるべき情報に基づく複数の変調制御信号もしくは予め設定された変調制御信号を供給して、複数の光変調手段により、変調制御信号に応じて夫々変調されたものもしくは変調されないものとされて、複数の光変調手段の配列配置に応じて配列配置された複数の光ビームが、一次元光変調部から得られる状態となす変調制御信号送出部と、一次元光変調部からの複数の光ビームが入射する偏光ビームスプリッタと、偏光ビームスプリッタを透過した、もしくは、偏光ビームスプリッタにおいて反射した一次元光変調部からの複数の光ビームを、それらについての幾何光学像が実質的に回折限界のもとで得られる状態とすべく絞り込んで、記録媒体駆動制御部により駆動されて走行するテープ状光記録媒体に、その走行方向に対して所定の角度を成す方向に線状に配列配置された光スポットを形成するものとして入射させ、それに記録されるべき情報の記録が行われる状態、もしくは、それに記録された情報に応じて変調された複数の光ビームがテープ状光記録媒体から得られる状態となす第２の光学系と、入射する光ビームの変化に応じて変化する出力信号を発生する光検出部と、記録媒体駆動制御部により駆動されるテープ状光記録媒体から得られ、偏光ビームスプリッタにおいて反射した、もしくは、偏光ビームスプリッタを透過した複数の光ビームを、光検出部に入射させる第３の光学系と、光検出部から得られる出力信号に基づいてテープ状光記録媒体に記録された情報を再生する情報再生部と、を備えて構成される。
【００４６】
上述の如くの本願の特許請求の範囲における請求項１から請求項３までのいずれかに記載された情報記録装置にあっては、複数のレーザダイオードが線状に配列配置されて成る一次元ダイオードアレイを含んで構成され、複数のレーザダイオードに変調制御信号送出部からの複数の変調制御信号が供給される光源部から、変調制御信号に応じて変調され、複数のレーザダイオードの配列配置に応じて配列配置された複数の光ビームが得られる。そして、斯かる複数の光ビームが、光学系によって、それらについての幾何光学像が回折限界を越えて小とされる状態にまで絞り込まれて、記録媒体駆動制御部により駆動される光記録媒体に入射するものとされ、それによって、光記録媒体に、記録されるべき情報が光記録媒体に入射する複数の光ビームに夫々対応する複数の記録トラックをもって記録される。
【００４７】
このように、線状に配列配置された複数のレーザダイオードを備えた光源部が用いられて、記録されるべき情報に基づく変調制御信号に応じて変調された複数の光ビームが、複数のレーザダイオードの配列配置に応じた配列配置、即ち、実質的に共通面内に置かれる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００４８】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、光記録媒体に記録された情報の再生が、複雑な信号処理が要されることなく、比較的容易に行われ得ることになる。
【００４９】
本願の特許請求の範囲における請求項４に記載された情報記録装置にあっては、複数のレーザダイオードが線状に配列配置されて成る一次元ダイオードアレイを含んで構成され、複数のレーザダイオードに変調制御信号送出部からの複数の変調制御信号が供給される光源部から、変調制御信号に応じて変調され、複数のレーザダイオードの配列配置に応じて配列配置された複数の光ビームが得られる。そして、斯かる複数の光ビームが、光学系によって、それらについての幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされ、それによって、テープ状光記録媒体に、記録されるべき情報がテープ状光記録媒体に入射する複数の光ビームに夫々対応する複数の記録トラックをもって記録される。
【００５０】
このように、線状に配列配置された複数のレーザダイオードを備えた光源部が用いられて、記録されるべき情報に基づく変調制御信号に応じて変調された複数の光ビームが、複数のレーザダイオードの配列配置に応じた配列配置、即ち、実質的に共通面内に置かれる配列配置をもって形成され、それらが、幾何光学像が実質的に回折限界のもとで得られる状態とされるべく絞り込まれるとともに、走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００５１】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、テープ状光記録媒体に記録された情報の再生が、複雑な信号処理が要されることなく、比較的容易に行われ得ることになる。
【００５２】
本願の特許請求の範囲における請求項５から請求項９までのいずれかに記載された情報記録装置にあっては、複数のレーザダイオードが線状に配列配置されて成る一次元ダイオードアレイを含んで構成された光源部からの複数の光ビームが入射する、複数の光変調手段が線状に配列配置されて成る一次元光変調部から、複数の光変調手段において変調制御信号送出部からの記録されるべき情報に基づく変調制御信号に応じて変調され、複数の光変調手段の配列配置に応じて配列配置された複数の光ビームが得られる。そして、斯かる複数の光ビームが、第２の光学系によって、それらについての幾何光学像が回折限界を越えて小とされる状態にまで絞り込まれて、記録媒体駆動制御部により駆動される光記録媒体に入射するものとされ、それによって、光記録媒体に、記録されるべき情報が光記録媒体に入射する複数の光ビームに夫々対応する複数の記録トラックをもって記録される。
【００５３】
このように、線状に配列配置された複数のレーザダイオードを備えた光源部と線状に配列配置された複数の光変調手段を備えた一次元光変調部とが用いられて、記録されるべき情報に基づく変調制御信号に応じて変調された複数の光ビームが、複数の光変調手段の配列配置に応じた配列配置、即ち、実質的に共通面内に置かれる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００５４】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、光記録媒体に記録された情報の再生が、複雑な信号処理が要されることなく、比較的容易に行われ得ることになる。
【００５５】
本願の特許請求の範囲における請求項１０から請求項１２までのいずれかに記載された情報記録装置にあっては、複数のレーザダイオードが線状に配列配置されて成る一次元ダイオードアレイを含んで構成された光源部からの複数の光ビームが入射する、複数の光変調手段が線状に配列配置されて成る一次元光変調部から、複数の光変調手段において変調制御信号送出部からの記録されるべき情報に基づく変調制御信号に応じて変調され、複数の光変調手段の配列配置に応じて配列配置された複数の光ビームが得られる。そして、斯かる複数の光ビームが、第２の光学系によって、それらについての幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされ、それによって、テープ状光記録媒体に、記録されるべき情報がテープ状光記録媒体に入射する複数の光ビームに夫々対応する複数の記録トラックをもって記録される。
【００５６】
このように、線状に配列配置された複数のレーザダイオードを備えた光源部と線状に配列配置された複数の光変調手段を備えた一次元光変調部とが用いられて、記録されるべき情報に基づく変調制御信号に応じて変調された複数の光ビームが、複数の光変調手段の配列配置に応じた配列配置、即ち、実質的に共通面内に置かれる配列配置をもって形成され、それらが、幾何光学像が実質的に回折限界のもとで得られる状態とされるべく絞り込まれるとともに、走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００５７】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、テープ状光記録媒体に記録された情報の再生が、複雑な信号処理が要されることなく、比較的容易に行われ得ることになる。
【００５８】
本願の特許請求の範囲における請求項１３または請求項１４に記載された情報記録再生装置にあっては、複数のレーザダイオードが線状に配列配置されて成る一次元ダイオードアレイを含んで構成され、複数のレーザダイオードに変調制御信号送出部からの複数の変調制御信号が供給される第１の光源部から、変調制御信号に応じて変調され、複数のレーザダイオードの配列配置に応じて配列配置された複数の光ビームが得られる。そして、斯かる複数の光ビームが、第１の光学系によって、それらについての幾何光学像が回折限界を越えて小とされる状態にまで絞り込まれて、記録媒体駆動制御部により駆動される光記録媒体に入射するものとされ、それによって、光記録媒体に、記録されるべき情報が光記録媒体に入射する複数の光ビームに夫々対応する複数の記録トラックをもって記録される。
【００５９】
また、第２の光源部からの光ビームが、記録媒体駆動制御部により駆動される光記録媒体に入射し、光記録媒体に記録された情報に応じて変調されて、光検出部に導かれる。それにより、光検出部から、光記録媒体に記録された情報に応じて変調された光ビームの変化に応じて変化する出力信号が得られ、情報再生部において、光検出部からの出力信号に基づいて光記録媒体に記録された情報が再生される。
【００６０】
このように、線状に配列配置された複数のレーザダイオードを備えた第１の光源部が用いられて、記録されるべき情報に基づく変調制御信号に応じて変調された複数の光ビームが、複数のレーザダイオードの配列配置に応じた配列配置、即ち、実質的に共通面内に置かれる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００６１】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、例えば、第２の光源部からの光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【００６２】
本願の特許請求の範囲における請求項１５または請求項１６に記載された情報記録再生装置にあっては、複数のレーザダイオードが線状に配列配置されて成る一次元ダイオードアレイを含んで構成され、複数のレーザダイオードに変調制御信号送出部からの複数の変調制御信号が供給される第１の光源部から、変調制御信号に応じて変調され、複数のレーザダイオードの配列配置に応じて配列配置された複数の光ビームが得られる。そして、斯かる複数の光ビームが、光学系によって、それらについての幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされ、それによって、テープ状光記録媒体に、記録されるべき情報がテープ状光記録媒体に入射する複数の光ビームに夫々対応する複数の記録トラックをもって記録される。
【００６３】
また、第２の光源部からの光ビームが、記録媒体駆動制御部により駆動されるテープ状光記録媒体に入射し、テープ状光記録媒体に記録された情報に応じて変調されて、光検出部に導かれる。それにより、光検出部から、テープ状光記録媒体に記録された情報に応じて変調された光ビームの変化に応じて変化する出力信号が得られ、情報再生部において、光検出部からの出力信号に基づいてテープ状光記録媒体に記録された情報が再生される。
【００６４】
このように、線状に配列配置された複数のレーザダイオードを備えた第１の光源部が用いられて、記録されるべき情報に基づく変調制御信号に応じて変調された複数の光ビームが、複数のレーザダイオードの配列配置に応じた配列配置、即ち、実質的に共通面内に置かれる配列配置をもって形成され、それらが、幾何光学像が実質的に回折限界のもとで得られる状態とされるべく絞り込まれるとともに、走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００６５】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、例えば、第２の光源部からの光ビームが、記録媒体駆動制御部により駆動されるテープ状光記録媒体に入射するものとされて行われる、テープ状光記録媒体に記録された情報の再生が、情報再生部において、複雑な信号処理が要されることなく、比較的容易に行われ得ることになる。
【００６６】
本願の特許請求の範囲における請求項１７または請求項１８に記載された情報記録再生装置にあっては、複数のレーザダイオードが線状に配列配置されて成る一次元ダイオードアレイを含んで構成された第１の光源部からの複数の光ビームが入射する、複数の光変調手段が線状に配列配置されて成る一次元光変調部から、複数の光変調手段において変調制御信号送出部からの記録されるべき情報に基づく変調制御信号に応じて変調され、複数の光変調手段の配列配置に応じて配列配置された複数の光ビームが得られる。そして、斯かる複数の光ビームが、第２の光学系によって、それらについての幾何光学像が回折限界を越えて小とされる状態にまで絞り込まれて、記録媒体駆動制御部により駆動される光記録媒体に入射するものとされ、それによって、光記録媒体に、記録されるべき情報が光記録媒体に入射する複数の光ビームに夫々対応する複数の記録トラックをもって記録される。
【００６７】
また、第２の光源部からの光ビームが、記録媒体駆動制御部により駆動される光記録媒体に入射し、光記録媒体に記録された情報に応じて変調されて、光検出部に導かれる。それにより、光検出部から、光記録媒体に記録された情報に応じて変調された光ビームの変化に応じて変化する出力信号が得られ、情報再生部において、光検出部からの出力信号に基づいて光記録媒体に記録された情報が再生される。
【００６８】
このように、線状に配列配置された複数のレーザダイオードを備えた第１の光源部と線状に配列配置された複数の光変調手段を備えた一次元光変調部とが用いられて、記録されるべき情報に基づく変調制御信号に応じて変調された複数の光ビームが、複数の光変調手段の配列配置に応じた配列配置、即ち、実質的に共通面内に置かれる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００６９】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、例えば、第２の光源部からの光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【００７０】
本願の特許請求の範囲における請求項１９または請求項２０に記載された情報記録再生装置にあっては、複数のレーザダイオードが線状に配列配置されて成る一次元ダイオードアレイを含んで構成された第１の光源部からの複数の光ビームが入射する、複数の光変調手段が線状に配列配置されて成る一次元光変調部から、複数の光変調手段において変調制御信号送出部からの記録されるべき情報に基づく変調制御信号に応じて変調され、複数の光変調手段の配列配置に応じて配列配置された複数の光ビームが得られる。そして、斯かる複数の光ビームが、第２の光学系によって、それらについての幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされ、それによって、テープ状光記録媒体に、記録されるべき情報がテープ状光記録媒体に入射する複数の光ビームに夫々対応する複数の記録トラックをもって記録される。
【００７１】
また、第２の光源部からの光ビームが、記録媒体駆動制御部により駆動されるテープ状光記録媒体に入射し、テープ状光記録媒体に記録された情報に応じて変調されて、光検出部に導かれる。それにより、光検出部から、テープ状光記録媒体に記録された情報に応じて変調された光ビームの変化に応じて変化する出力信号が得られ、情報再生部において、光検出部からの出力信号に基づいてテープ状光記録媒体に記録された情報が再生される。
【００７２】
このように、線状に配列配置された複数のレーザダイオードを備えた第１の光源部と線状に配列配置された複数の光変調手段を備えた一次元光変調部とが用いられて、記録されるべき情報に基づく変調制御信号に応じて変調された複数の光ビームが、複数の光変調手段の配列配置に応じた配列配置、即ち、実質的に共通面内に置かれる配列配置をもって形成され、それらが、幾何光学像が実質的に回折限界のもとで得られる状態とされるべく絞り込まれるとともに、走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００７３】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、例えば、第２の光源部からの光ビームが、記録媒体駆動制御部により駆動されるテープ状光記録媒体に入射するものとされて行われる、テープ状光記録媒体に記録された情報の再生が、情報再生部において、複雑な信号処理が要されることなく、比較的容易に行われ得ることになる。
【００７４】
本願の特許請求の範囲における請求項２１から請求項２５までのいずれかに記載された情報記録再生装置にあっては、光記録媒体に対する情報の記録と光記録媒体からの情報の再生とが、共通の光源部及び複数の光学手段が用いられて行われる。
【００７５】
光記録媒体に対する情報の記録が行われるにあたっては、複数のレーザダイオードが線状に配列配置されて成る一次元ダイオードアレイを含んで構成される光源部に、変調制御信号送出部から記録されるべき情報に基づく複数の変調制御信号が供給され、光源部から、各々が変調制御信号に応じて変調され、複数のレーザダイオードの配列配置に応じて配列配置された複数の光ビームが得られる。そして、斯かる複数の光ビームが、第１の光学系によって、それらについての幾何光学像が回折限界を越えて小とされる状態にまで絞り込まれて、記録媒体駆動制御部により駆動される光記録媒体に入射するものとされ、それによって、光記録媒体に、記録されるべき情報が光記録媒体に入射する複数の光ビームに夫々対応する複数の記録トラックをもって記録される。
【００７６】
一方、光記録媒体からの情報の再生が行われるにあたっては、光源部に変調制御信号送出部から予め設定された変調制御信号が供給され、光源部から、各々が変調されることなく、複数のレーザダイオードの配列配置に応じて配列配置された複数の光ビームが得られる。そして、斯かる複数の光ビームが、光学系によって、それらについての幾何光学像が回折限界を越えて小とされる状態にまで絞り込まれて、記録媒体駆動制御部により駆動される光記録媒体に入射するものとされ、それによって、光記録媒体に記録された情報に応じて変調された複数の光ビームが光記録媒体から得られて、光検出部に導かれる。それにより、光検出部から、光記録媒体に記録された情報に応じて変調された光ビームの変化に応じて変化する出力信号が得られ、情報再生部において、光検出部からの出力信号に基づいて光記録媒体に記録された情報が再生される。
【００７７】
このように、複数のレーザダイオードが線状に配列配置されて成る一次元ダイオードアレイを含んで構成される光源部が用いられて、その光源部から、記録されるべき情報に基づく変調制御信号に応じて変調された複数の光ビーム、もしくは、変調を受けないものとされた複数の光ビームが、複数のレーザダイオードの配列配置に応じた配列配置、即ち、実質的に共通面内に配されることになる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００７８】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、変調を受けないものとされて実質的に共通面内に配列配置されることになる複数の光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【００７９】
本願の特許請求の範囲における請求項２６から請求項２８までのいずれかに記載された情報記録再生装置にあっては、テープ状光記録媒体が記録媒体とされたもとで、テープ状光記録媒体に対する情報の記録とテープ状光記録媒体からの情報の再生とが、共通の光源部及び複数の光学手段が用いられて行われる。
【００８０】
テープ状光記録媒体に対する情報の記録が行われるにあたっては、複数のレーザダイオードが線状に配列配置されて成る一次元ダイオードアレイを含んで構成される光源部に、変調制御信号送出部から記録されるべき情報に基づく複数の変調制御信号が供給され、光源部から、各々が変調制御信号に応じて変調され、複数のレーザダイオードの配列配置に応じて配列配置された複数の光ビームが得られる。そして、斯かる複数の光ビームが、第１の光学系によって、それらについての幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされ、それによって、テープ状光記録媒体に、記録されるべき情報がテープ状光記録媒体に入射する複数の光ビームに夫々対応する複数の記録トラックをもって記録される。
【００８１】
一方、テープ状光記録媒体からの情報の再生が行われるにあたっては、光源部に変調制御信号送出部から予め設定された変調制御信号が供給され、光源部から、各々が変調されることなく、複数のレーザダイオードの配列配置に応じて配列配置された複数の光ビームが得られる。そして、斯かる複数の光ビームが、第１の光学系によって、それらについての幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされ、それによって、テープ状光記録媒体に記録された情報に応じて変調された複数の光ビームがテープ状光記録媒体から得られて、光検出部に導かれる。それにより、光検出部から、テープ状光記録媒体に記録された情報に応じて変調された光ビームの変化に応じて変化する出力信号が得られ、情報再生部において、光検出部からの出力信号に基づいてテープ状光記録媒体に記録された情報が再生される。
【００８２】
このように、複数のレーザダイオードが線状に配列配置されて成る一次元ダイオードアレイを含んで構成される光源部が用いられて、その光源部から、記録されるべき情報に基づく変調制御信号に応じて変調された複数の光ビーム、もしくは、変調を受けないものとされた複数の光ビームが、複数のレーザダイオードの配列配置に応じた配列配置、即ち、実質的に共通面内に配されることになる配列配置をもって形成され、それらが、幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００８３】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、変調を受けないものとされて実質的に共通面内に配列配置されることになる複数の光ビームが、記録媒体駆動制御部により駆動されて走行するテープ状光記録媒体に入射するものとされて行われる、テープ状光記録媒体に記録された情報の再生が、情報再生部において、複雑な信号処理が要されることなく、比較的容易に行われ得ることになる。
【００８４】
本願の特許請求の範囲における請求項２９から請求項３３までのいずれかに記載された情報記録再生装置にあっても、光記録媒体に対する情報の記録と光記録媒体からの情報の再生とが、共通の光源部及び複数の光学手段が用いられて行われる。
【００８５】
光記録媒体に対する情報の記録が行われるにあたっては、複数のレーザダイオードが線状に配列配置されて成る一次元ダイオードアレイを含んで構成された光源部からの複数の光ビームが入射する、複数の光変調手段が線状に配列配置されて成る一次元光変調部における複数の光変調手段に、変調制御信号送出部から記録されるべき情報に基づく複数の変調制御信号が供給され、一次元光変調部から、各々が変調制御信号に応じて変調され、複数の光変調手段の配列配置に応じて配列配置された複数の光ビームが得られる。そして、斯かる複数の光ビームが、第２の光学系によって、それらについての幾何光学像が回折限界を越えて小とされる状態にまで絞り込まれて、記録媒体駆動制御部により駆動される光記録媒体に入射するものとされ、それによって、光記録媒体に、記録されるべき情報が光記録媒体に入射する複数の光ビームに夫々対応する複数の記録トラックをもって記録される。
【００８６】
一方、光記録媒体からの情報の再生が行われるにあたっては、光源部からの複数の光ビームが入射する一次元光変調部における複数の光変調手段に、変調制御信号送出部から予め設定された変調制御信号が供給され、一次元光変調部から、各々が変調されることなく、複数の光変調手段の配列配置に応じて配列配置された複数の光ビームが得られる。そして、斯かる複数の光ビームが、第２の光学系によって、それらについての幾何光学像が回折限界を越えて小とされる状態にまで絞り込まれて、記録媒体駆動制御部により駆動される光記録媒体に入射するものとされ、それによって、光記録媒体に記録された情報に応じて変調された複数の光ビームが光記録媒体から得られて、光検出部に導かれる。それにより、光検出部から、光記録媒体に記録された情報に応じて変調された光ビームの変化に応じて変化する出力信号が得られ、情報再生部において、光検出部からの出力信号に基づいて光記録媒体に記録された情報が再生される。
【００８７】
このように、複数のレーザダイオードが線状に配列配置されて成る一次元ダイオードアレイを含んで構成される光源部と複数の光変調手段が線状に配列配置されて成る一次元光変調部とが用いられて、一次元光変調部から、記録されるべき情報に基づく変調制御信号に応じて変調された複数の光ビーム、もしくは、変調を受けないものとされた複数の光ビームが、複数の光変調手段の配列配置に応じた配列配置、即ち、実質的に共通面内に配されることになる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００８８】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、変調を受けないものとされて実質的に共通面内に配列配置されることになる複数の光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【００８９】
本願の特許請求の範囲における請求項３４から請求項３６までのいずれかに記載された情報記録再生装置にあっても、テープ状光記録媒体が記録媒体とされたもとで、テープ状光記録媒体に対する情報の記録とテープ状光記録媒体からの情報の再生とが、共通の光源部及び複数の光学手段が用いられて行われる。
【００９０】
テープ状光記録媒体に対する情報の記録が行われるにあたっては、複数のレーザダイオードが線状に配列配置されて成る一次元ダイオードアレイを含んで構成された光源部からの複数の光ビームが入射する、複数の光変調手段が線状に配列配置されて成る一次元光変調部における複数の光変調手段に、変調制御信号送出部から記録されるべき情報に基づく複数の変調制御信号が供給され、一次元光変調部から、各々が変調制御信号に応じて変調され、複数の光変調手段の配列配置に応じて配列配置された複数の光ビームが得られる。そして、斯かる複数の光ビームが、第２の光学系によって、それらについての幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされ、それによって、テープ状光記録媒体に、記録されるべき情報がテープ状光記録媒体に入射する複数の光ビームに夫々対応する複数の記録トラックをもって記録される。
【００９１】
一方、テープ状光記録媒体からの情報の再生が行われるにあたっては、光源部からの複数の光ビームが入射する一次元光変調部における複数の光変調手段に、変調制御信号送出部から予め設定された変調制御信号が供給され、一次元光変調部から、各々が変調されることなく、複数の光変調手段の配列配置に応じて配列配置された複数の光ビームが得られる。そして、斯かる複数の光ビームが、光学系によって、それらについての幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされ、それによって、テープ状光記録媒体に記録された情報に応じて変調された複数の光ビームがテープ状光記録媒体から得られて、光検出部に導かれる。それにより、光検出部から、テープ状光記録媒体に記録された情報に応じて変調された光ビームの変化に応じて変化する出力信号が得られ、情報再生部において、光検出部からの出力信号に基づいてテープ状光記録媒体に記録された情報が再生される。
【００９２】
このように、複数のレーザダイオードが線状に配列配置されて成る一次元ダイオードアレイを含んで構成される光源部と複数の光変調手段が線状に配列配置されて成る一次元光変調部とが用いられて、一次元光変調部から、記録されるべき情報に基づく変調制御信号に応じて変調された複数の光ビーム、もしくは、変調を受けないものとされた複数の光ビームが、複数の光変調手段の配列配置に応じた配列配置、即ち、実質的に共通面内に配されることになる配列配置をもって形成され、それらが、幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【００９３】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、変調を受けないものとされて実質的に共通面内に配列配置されることになる複数の光ビームが、記録媒体駆動制御部により駆動されて走行するテープ状光記録媒体に入射するものとされて行われる、テープ状光記録媒体に記録された情報の再生が、情報再生部において、複雑な信号処理が要されることなく、比較的容易に行われ得ることになる。
【００９４】
【発明の実施の形態】
図１は、本願の特許請求の範囲における請求項１から請求項４までのいずれかに記載された発明に係る情報記録装置の一例の要部を示す。この図１に示される例は、光記録媒体としてテープ状光記録媒体、即ち、光テープを用い、光テープに対する情報の記録を行うものとされている。
【００９５】
図１に示される情報記録装置の例にあっては、複数のレーザ光ビームを連続的に発する光源部を成す一次元ダイオードアレイ２１が備えられている。一次元ダイオードアレイ２１は、複数のレーザダイオードを備えて形成され、例えば、図２に示される如く、複数のレーザダイオード２２が線状に配列配置されて形成され、複数のレーザダイオード２２の夫々が単一のレーザ光ビームを発する。従って、一次元ダイオードアレイ２１からは、複数のレーザダイオード２２の線状の配列配置に応じて配列配置されたもの、換言すれば、実質的に共通面内に配列配置されたものとされる複数のレーザ光ビームが発せられる。
【００９６】
一次元ダイオードアレイ２１に関連して、変調制御信号送出部２３が設けられている。変調制御信号送出部２３には、記録されるべき情報をあらわす記録信号ＳＳが供給され、変調制御信号送出部２３は、記録信号ＳＳに応じて、記録されるべき情報に基づく複数の変調制御信号ＳＭＤを形成して、それらを、一次元ダイオードアレイ２１における複数のレーザダイオード２２に夫々供給する。それにより、一次元ダイオードアレイ２１における複数のレーザダイオード２２の夫々は、それが発するレーザ光ビームを、変調制御信号ＳＭＤに応じた強度変化を伴うもの、即ち、変調制御信号ＳＭＤに応じて変調されたものとなす。従って、複数のレーザダイオード２２に変調制御信号送出部２３からの複数の変調制御信号ＳＭＤが供給される一次元ダイオードアレイ２１からは、記録されるべき情報に基づく複数の変調制御信号ＳＭＤに応じて変調された複数のレーザ光ビーム（複数の変調レーザ光ビーム）が、複数のレーザダイオード２２の線状の配列配置に応じて配列配置されたもの、換言すれば、実質的に共通面内に配列配置されたものとされて発せられることになる。
【００９７】
このようにして、一次元ダイオードアレイ２１から発せられる複数の変調制御信号ＳＭＤに応じて変調された複数の変調レーザ光ビームは、光ビーム制御を行う光学系２４を通じて、記録媒体駆動制御部２５によって駆動されて走行する光記録媒体である光テープ２６に入射するものとされる。
【００９８】
光ビーム制御を行う光学系２４は、一次元ダイオードアレイ２１からの実質的に共通面内に配列配置された複数の変調レーザ光ビームを、それらの夫々について、ビーム径を縮小させるべく絞り込んで、光テープ２６に入射させるとともに、光テープ２６に入射する複数の変調レーザ光ビームの夫々に、光テープ２６上において適正な集束状態をとらせるフォーカス制御と、光テープ２６に入射する複数の変調レーザ光ビームの夫々を、光テープ２６上における適正な位置に入射させるトラッキング制御とを行う。それにより、複数の変調レーザ光ビームによって、光テープ２６に、記録されるべき情報の記録が行われる状態とされる。
【００９９】
斯かる複数の変調レーザ光ビームによる光テープ２６に対する情報の記録は、光テープ２６上に、各々が光テープ２６の走行方向に沿って伸びる、光テープ２６に入射する変調レーザ光ビームの数に応じた複数の平行な記録トラックが形成されるもとで行われる。複数の記録トラックの夫々は、それに対応する変調レーザ光ビームの変調状態に応じた情報記録パターンを有するものとされる。
【０１００】
このような複数の変調レーザ光ビームによる光テープ２６に対する情報の記録が行われるにあたり、光学系２４は、例えば、図３に示される如く、一次元ダイオードアレイ２１からの複数の変調レーザ光ビームＬＢ（図３においては、便宜上、変調レーザ光ビームＬＢの数が４個とされている。）を、それらについての幾何光学像が回折限界にまで達することなく小とされる状態とすべく絞り込み、変調レーザ光ビームＬＢ’として光テープ２６に入射させることも考えられる。
【０１０１】
斯かる際には、一次元ダイオードアレイ２１からの複数の変調レーザ光ビームＬＢについて、各々のビーム径をａとし、ビーム間隔をｂとするとともに、絞り込まれた複数の変調レーザ光ビームＬＢ’について、各々のビーム径をａ’とし、ビーム間隔をｂ’とすると、幾何光学像が回折限界にまで達することなく小とされる状態となるように絞り込まれることからして、数１の関係が成立する。
【０１０２】
【数１】
ａ’／ｂ’＝ａ／ｂ
【０１０３】
即ち、複数の変調レーザ光ビームＬＢは、相似関係をもって絞り込まれて、複数の変調レーザ光ビームＬＢ’とされるのであり、ビーム間隔ｂ’は、縮小されるビーム径ａ’に応じた値をとることになる。
【０１０４】
従って、斯かるもとでは、絞り込まれた複数の変調レーザ光ビームＬＢ’が光テープ２６上にその走行方向に対して直交する方向に線状に配列配置された光スポットを形成すべく入射するとして、光テープ２６に複数の変調レーザ光ビームＬＢ’によって形成される記録トラックは、図４においてＣＨ１，ＣＨ２，３，・・・，ＣＨｎ（変調レーザ光ビームＬＢ’の数がｎ個の場合）として示される如くに、複数の変調レーザ光ビームＬＢ’のビーム間隔ｂ’に応じた、必要最小限のものを越えるガードバンドＧＢを伴うことになる。図４において、Ｘは光テープ２６の走行方向をあらわし、Ｚは複数の変調レーザ光ビームＬＢ’の夫々により光テープ２６上に形成される光ビームスポットをあらわす。
【０１０５】このように、光テープ２６に形成される記録トラックが必要最小限のものを越えるガードバンドを伴うものとされることは、光テープ２６の利用率を低下させ、光テープ２６に対する高密度情報記録を阻害することになってしまう。従って、光テープ２６に形成される記録トラックは、必要最小限のガードバンドを伴うものとされることが望まれる。
【０１０６】
そこで、複数の変調レーザ光ビームによる光テープ２６に対する情報の記録が行われるにあたり、光学系２４は、実際には、例えば、図５に示される如くに、一次元ダイオードアレイ２１からの複数の変調レーザ光ビームＬＢ（図５においても、便宜上、変調レーザ光ビームＬＢの数が４個とされている。）を、それらについての幾何光学像が回折限界を越えて小とされる状態にまで絞り込み、変調レーザ光ビームＬＢ”として光ビーム２６に入射させる。
【０１０７】
それにより、一次元ダイオードアレイ２１からの複数の変調レーザ光ビームＬＢについて、各々のビーム径をａとし、ビーム間隔をｂとするとともに、絞り込まれた複数の変調レーザ光ビームＬＢ”について、各々のビーム径をａ”とし、ビーム間隔をｂ”とすると、幾何光学像が回折限界を越えて小とされる状態にまで絞り込まれるもとにあって、ビーム間隔ｂ”は、原理的には０まで小とすることができるのに対して、ビーム径ａ”は、回折限界のもとでの値より小とすることはできないので、数２の関係が成立することになる。
【０１０８】
【数２】
ａ”／ｂ”＜　ｂ／ａ
【０１０９】
従って、ビーム径ａ”を有限な値としたもとで、隣合う二つの変調レーザ光ビームＬＢ”の間の隙間（ｂ”−ａ”）を実質的に０まで小とすることができることになる。そして、隣合う二つの変調レーザ光ビームＬＢ”の間の隙間（ｂ”−ａ”）が実質的に０まで小とされると、絞り込まれた複数の変調レーザ光ビームＬＢ”が光テープ２６上にその走行方向に対して直交する方向に線状に配列配置された光スポットを形成すべく入射するとして、光テープ２６に複数の変調レーザ光ビームＬＢ”によって形成される記録トラックは、図６においてＣＨ１’，ＣＨ２’，ＣＨ３’，・・・，ＣＨｎ’（変調レーザ光ビームＬＢ”の数がｎ個の場合）として示される如くに、必要最小限（実質的に零）のガードバンドを伴うことになる。図６において、Ｘは光テープ２６の走行方向をあらわし、Ｚ’は複数の変調レーザ光ビームＬＢ”の夫々により光テープ２６上に形成される光ビームスポットをあらわす。
【０１１０】
このようにして、光学系２４が、一次元ダイオードアレイ２１からの複数の変調レーザ光ビームを、それらについての幾何光学像が回折限界を越えて小とされる状態にまで絞り込んで光テープ２６に入射させることにより、光テープ２６に形成される記録トラックが、必要最小限のガードバンドを伴うものとされることになる。
【０１１１】
図６に示される光テープ２６上に形成される記録トラックＣＨ１’，ＣＨ２’，ＣＨ３’，・・・，ＣＨｎ’の例は、絞り込まれた複数の変調レーザ光ビームＬＢ”が、光テープ２６上にその走行方向に対して直交する方向に線状に配列配置された光スポットを形成すべく入射するものとされる場合であるが、図７に示される如くに、光学系２４が、絞り込まれた複数の変調レーザ光ビームＬＢ”を、光テープ２６上にその走行方向に対して所定の角度をなす方向に線状に配列配置された光スポットを形成すべく入射するものとなすことも考えられる。その際には、図８に示される如く、光テープ２６上に複数の変調レーザ光ビームＬＢ”によって形成される複数の光スポットＺ’が、光テープ２６の走行方向Ｘに対して角度γをなす方向に配列配置されることになる。それにより、複数の光スポットＺ’のうちの隣合う二つについての光テープ２６の走行方向Ｘに直交する方向の中心間距離が、複数の変調レーザ光ビームＬＢ”が光テープ２６上にその走行方向に対して直交する方向に線状に配列配置された光スポットを形成すべく入射する場合に比して小とされるので、光ビーム２６に形成される記録トラックを必要最小限のガードバンドを伴うものとすることにおいて、より有利な状況が得られる。
【０１１２】
また、光学系２４は、複数の変調レーザ光ビームによる光テープ２６に対する情報の記録が行われるにあたり、上述の一次元ダイオードアレイ２１からの複数の変調レーザ光ビームをそれらについての幾何光学像が回折限界を越えて小とされる状態にまで絞り込んで光ビーム２６に入射させる状態をとるのではなく、それとは異なる他の状態をとることができるものとされる。
【０１１３】
光学系２４が、斯かる他の状態をとるものとされる場合には、光学系２４は、例えば、図９に示される如くに、一次元ダイオードアレイ２１からの複数の変調レーザ光ビームＬＢ（図９においても、便宜上、変調レーザ光ビームＬＢの数が４個とされている。）を、それらについての幾何光学像が実質的に回折限界のもとで得られる状態とすべく絞り込み、複数の変調レーザ光ビームＬＢＳとして光テープ２６に入射させる。その際、光テープ２６に入射する複数の変調レーザ光ビームＬＢＳを、光テープ２６の走行方向に対して９０度もしくは１８０度以外の所定の角度をなす方向に線状に配列配置された光スポットを形成するものとなす。
【０１１４】
それにより、例えば、図１０に示される如くに、光テープ２６には、絞り込まれた複数の変調レーザ光ビームＬＢＳにより形成される複数の光スポットＺＳが、光テープ２６の走行方向に対して９０度もしくは１８０度以外の角度γｓをなす方向に線状に配列配置される。そして、これらの複数の光スポットＺＳが、それらのうちの隣合う二つについての光テープ２６の走行方向Ｘに直交する方向の中心間距離が複数の光スポットＺＳの夫々の径に等しくなるものとされるように、角度γが選定されることにより、複数の変調レーザ光ビームＬＢＳによって光テープ２６に形成される記録トラックＣＨＳ１，ＣＨＳ２，ＣＨＳ３，・・・，ＣＨＳｎ（変調レーザ光ビームＬＢＳの数がｎ個の場合）が、必要最小限（実質的に零）のガードバンドを伴うものとされることになる。
【０１１５】
即ち、光学系２４が、一次元ダイオードアレイ２１からの複数の変調レーザ光ビームを、それらについての幾何光学像が実質的に回折限界のもとで得られる状態とすべく絞り込んで、光テープ２６に、その走行方向に対して９０度もしくは１８０度以外の所定の角度をなす方向に線状に配列配置された光スポットを形成するものとして入射させる場合においても、光テープ２６に形成される記録トラックを必要最小限のガードバンドを伴うものとすることができるのである。
【０１１６】
上述の如くの図１に示される情報記録装置の例によれば、光テープ２６にガードバンドが必要最小限とされた記録トラックを形成して情報を記録することができる状態をもって、光テープ２６に対する無接触情報記録を行うことができ、しかも、複数の変調レーザ光ビームを透過させる光学系２４の位置についての設定及び維持における困難さが軽減されることになるとともに、複数の光ビームの利用率の改善が図られる。
【０１１７】
図１１は、本願の特許請求の範囲における請求項５から請求項１２までのいずれかに記載された発明に係る情報記録装置の一例の要部を示す。この図１１に示される例も、光記録媒体としてテープ状光記録媒体、即ち、光テープを用い、光テープに対する情報の記録を行うものとされている。
【０１１８】
図１１に示される情報記録装置の例にあっては、レーザ光ビームを連続的に発する光源部を成すレーザ光源３１が備えられている。レーザ光源３１から発せられたレーザ光ビームは、複数のレンズ等の光学素子を含んで構成される光学系３２によって、一次元光変調部３３に入射するものとされる。
【０１１９】
一次元光変調部３３は、図１２に示される如く、平板状支持部材３４に複数の光変調手段である反射型光変調器３５が、隣り合う二つが近接するものとして線状に配列配置されたものとされる。複数の反射型光変調器３５の夫々は、それに入射する光ビームを外部から供給される変調制御信号に応じて変調するとともに反射させる。
【０１２０】
レーザ光源３１及び光学系３２の一例にあっては、例えば、図１３に示される如くに、レーザ光源３１が、前述の図２に示される一次元ダイオードアレイ２１によって構成されて、実質的に共通面内に配列配置された複数のレーザ光ビームを発するものとされ、また、光学系３２が光ビーム平行化レンズ３６と集光レンズ３７とを含んで構成される。
【０１２１】
このような図１３に示されるレーザ光源３１及び光学系３２の例にあっては、一次元ダイオードアレイ２１からの実質的に共通面内に配列配置された複数のレーザ光ビームが、光ビーム平行化レンズ３６に入射する。そして、斯かる複数のレーザ光ビームの各々が、光ビーム平行化レンズ３６により平行ビーム化されて集光レンズ３７に入射し、集光レンズ３７によって集束状態とされて、一次元光変調部３３に入射するものとされる。
【０１２２】
その際、一次元光変調部３３に入射する実質的に共通面内に配列配置された複数のレーザ光ビームは、その配列方向を一次元光変調部３３における線状に配列配置された複数の反射型光変調器３５の配列方向に一致させる状態とされて、複数の反射型光変調器３５に入射する。それにより、図１４に示される如く、一次元光変調部３３において、線状に配列配置された複数の反射型光変調器３５を照射するようにして、複数のレーザ光ビームによる複数の光スポット３８が形成される。
【０１２３】
一次元光変調部３３に関連して、変調制御信号送出部３９が設けられている。変調制御信号送出部３９には、記録されるべき情報をあらわす記録信号ＳＳが供給され、変調制御信号送出部３９は、記録信号ＳＳに応じて、記録されるべき情報に基づく複数の変調制御信号ＳＭＥを形成して、それらを、一次元光変調部３３における複数の反射型光変調器３５に夫々供給する。
【０１２４】
斯かるもとで、一次元光変調部３３における複数の反射型光変調器３５の各々は、上述の如くに、線状に配列配置された複数の反射型光変調器３５を照射する複数の光スポット３８を形成して入射する複数のレーザ光ビームの各々を、変調制御信号送出部３９からの変調制御信号ＳＭＥに応じて変調するとともに反射させる。斯かる際における複数の反射型光変調器３５の各々によるレーザ光ビームの変調は、入射するレーザ光ビームについての反射量を変調制御信号ＳＭＥに応じて変化させることによって行われる。
【０１２５】
その結果、一次元光変調部３３から、線状に配列配置された複数の反射型光変調器３５の夫々において変調制御信号送出部３９からの変調制御信号ＳＭＥに応じて変調されるとともに反射した複数のレーザ光ビーム（変調レーザ光ビーム）が、複数の反射型光変調器３５の配列配置に応じて配列配置されたもの、換言すれば、実質的に共通面内に配列配置されたものとして得られる。そして、一次元光変調部３３からの実質的に共通面内に配列配置された複数の変調レーザ光ビームは、光ビーム制御を行う光学系２４を通じて、記録媒体駆動制御部２５によって駆動されて走行する光記録媒体である光テープ２６に入射する。光学系２４，記録媒体駆動制御部２５及び光テープ２６は、図１に示されるそれらと同様なものである。
【０１２６】上述の如くに、一次元光変調部３３から複数の変調レーザ光ビームが得られるようにするにあたり、、一次元光変調部３３に入射する複数のレーザ光ビームの数をｍとし、一次元光変調部３３における複数の反射型光変調器３５の数をｎとして、両者間にｍ≦ｎの関係が成立するものとされる。ｍ＝ｎの場合、複数のレーザ光ビームが複数の反射型光変調器３５に夫々入射するものとされる。それに対して、ｍ＜ｎの場合には、複数の反射型光変調器３５の中にレーザ光ビームが入射しないものが含まれることが考えられるが、その際には、レーザ光ビームが入射しないものとなる反射型光変調器３５は、使用されないものとして除外され、レーザ光ビームが入射する反射型光変調器３５が、変調制御信号送出部３９からの変調制御信号ＳＭＥが供給されて、変調レーザ光ビームの形成に供される。また、ｍ＜ｎの場合には、一つのレーザ光ビームが複数の反射型光変調器３５に入射することも考えられるが、その際には、一つのレーザ光ビームが入射する複数の反射型光変調器３５に、変調制御信号送出部３９からの同じ変調制御信号ＳＭＥが供給され、それにより、複数の反射型光変調器３５によって、一つの変調レーザ光ビームが形成されることになる。
【０１２７】
斯かる図１１に示される情報記録装置の例においても、光ビーム制御を行う光学系２４は、図１に示される情報記録装置の例において一次元ダイオードアレイ２１からの複数の変調レーザ光ビームについての光ビーム制御を行う光学系２４の場合と同様に、一次元光変調部３３からの複数の変調レーザ光ビームを、それらについての幾何光学像が回折限界を越えて小とされる状態にまで絞り込んで、記録媒体駆動制御部２５によって駆動されて走行する光テープ２６に入射させる状態、あるいは、一次元光変調部３３からの複数の変調レーザ光ビームを、それらについての幾何光学像が実質的に回折限界のもとで得られる状態とすべく絞り込んで、記録媒体駆動制御部２５によって駆動されて走行する光テープ２６に、その走行方向に対して９０度もしくは１８０度以外の所定の角度をなす方向に線状に配列配置された光スポットを形成するものとして入射させる状態をとる。
【０１２８】
このような図１１に示される情報記録装置の例にあっても、前述の図１に示される情報記録装置の例によって得られる作用効果と同様な作用効果が得られる。
【０１２９】
図１５は、本願の特許請求の範囲における請求項１３から請求項１６までのいずれかに記載された発明に係る情報記録再生装置の一例の要部を示す。この図１５に示される情報記録再生装置の例は、光記録媒体としてテープ状光記録媒体、即ち、光テープを用い、光テープに対する情報の記録及び再生を行うものとされている。
【０１３０】
図１５に示される情報記録再生装置の例にあっては、情報記録部５０と情報再生部５１とが備えられており、情報記録部５０により、記録媒体駆動制御部５２によって駆動されて走行する光テープ５３に対する情報の記録が行われ、また、情報再生部５１により、記録媒体駆動制御部５２によって駆動されて走行する光テープ５３からのそれに記録された情報の再生が行われる。
【０１３１】
情報記録部５０は、図１に示される本願の特許請求の範囲における請求項１から請求項４までのいずれかに記載された発明に係る情報記録装置の一例の要部と同様に構成されており、図１５にあっては、情報記録部５０における各部及び各信号が図１に示される情報記録装置の一例の要部における対応する部分及び信号と共通の符号が付されてあらわされていて、それらについての重複説明は省略される。
【０１３２】
情報再生部５１にあっては、レーザ光ビームを連続的に発する光源部を成すレーザ光源５５が備えられている。レーザ光源５５は、例えば、図２に示される如くの、線状に配列配置された複数のレーザダイオード２２が設けられて形成される一次元ダイオードアレイ２１が用いられて構成される。斯かる場合には、レーザ光源５５から、複数のレーザダイオード２２の配列配置に応じて配列配置されたもの、換言すれば、実質的に共通面内に配列配置されたものとされる複数のレーザ光ビームが発せられる。
【０１３３】
レーザ光源５５からの複数のレーザ光ビームは、光ビーム制御を行う光学系５６を通じて、記録媒体駆動制御部５２によって駆動されて走行する光テープ５３に入射する。光テープ５３は、例えば、情報記録部５０による情報の記録が行われて、例えば、図６，図８もしくは図１０に示される光テープ２６におけるものと同様な、各々に情報が記録された複数の記録トラックＣＨ１’〜ＣＨｎ’もしくはＣＨＳ１〜ＣＨＳｎが形成されたものとされる。
【０１３４】
光ビーム制御を行う光学系５６は、レーザ光源５５からの実質的に共通面内に配列配置された複数のレーザ光ビームを、隣り合う二つが近接もしくは相互接触する状態、即ち、隣り合う二つの間の間隙が極めて小もしくは実質的に無い状態として光テープ５３に入射させるとともに、光テープ５３に入射する複数のレーザ光ビームの夫々に、光テープ５３上において適正な集束状態をとらせるフォーカス制御と、光テープ５３に入射する複数のレーザ光ビームの入射位置を、光テープ５３に形成された複数の記録トラックＣＨ１’〜ＣＨｎ’もしくはＣＨＳ１〜ＣＨＳｎに夫々適正に合致させるトラッキング制御とを行う。
【０１３５】入射位置が光テープ５３に形成された複数の記録トラックＣＨ１’〜ＣＨｎ’もしくはＣＨＳ１〜ＣＨＳｎに夫々合致するものとされる複数のレーザ光ビームの各々は、複数の記録トラックＣＨ１’〜ＣＨｎ’もしくはＣＨＳ１〜ＣＨＳｎの夫々に記録された情報に応じた変調を受けるとともに、複数の記録トラックＣＨ１’〜ＣＨｎ’もしくはＣＨＳ１〜ＣＨＳｎの夫々において反射して、複数の光学素子を含んで構成される光学系５７に向かう。光学系５７は、光テープ５３からの光テープ５３に記録された情報に応じて変調された複数のレーザ光ビームを光検出部５８に入射させる。
【０１３６】
光検出部５８は、各々が光学系５７を通じて入射する複数のレーザ光ビームの夫々の変化に応じて変化する複数の出力信号ＳＩＮを得て、それらを情報再生部５９に供給する。情報再生部５９は、光検出部５８からの複数の出力信号ＳＩＮに基づいて、光テープ５３に記録された情報を再生する。
【０１３７】
なお、上述の図１５に示される情報記録再生装置の例における情報再生部５１にあっては、レーザ光源５５が、一次元ダイオードアレイ２１が用いられて構成されて、線状に配列配置された複数のレーザ光ビームを発するものとされているが、レーザ光源５５が、複数のレーザ光ビームでなく、単一のレーザ光ビームを発するものとされてもよい。斯かる際には、光学系５６を通じて光テープ５３に入射するレーザ光ビームが、単一のレーザ光ビームとされ、それによって、例えば、光テープ５３に複数の記録トラックをもって記録された情報の再生が順次行われるようにされる。
【０１３８】
上述の如くの図１５に示される情報記録再生装置の例にあっても、情報記録部５０によって、光テープ５３にガードバンドが必要最小限とされた記録トラックを形成して情報を記録することができる状態をもって、光テープ５３に対する無接触情報記録を行うことができ、しかも、複数の変調レーザ光ビームを透過させる光学系２４の位置についての設定及び維持における困難さが軽減されることになるとともに、複数の光ビームの利用率の改善が図られる。また、情報再生部５１にあっては、光テープ５３から再生すべき情報が、記録されるべき情報に基づく変調制御信号ＳＭＤに応じて変調されて実質的に共通面内に配列配置され、光テープ５３上に線状に配列配置される光スポットを形成する複数のレーザ光ビームによって、光テープ５３に記録されたものとされるので、光テープ５３に記録された情報の再生が、複雑な信号処理が要されることなく、比較的容易に行われることになる。
【０１３９】
図１６は、本願の特許請求の範囲における請求項１７から請求項２０までのいずれかに記載された発明に係る情報記録再生装置の一例の要部を示す。この図１６に示される情報記録再生装置の例も、光記録媒体としてテープ状光記録媒体、即ち、光テープを用い、光テープに対する情報の記録及び再生を行うものとされている。
【０１４０】
図１６に示される情報記録再生装置の例にあっては、情報記録部６０と情報再生部６１とが備えられており、情報記録部６０により、記録媒体駆動制御部５２によって駆動されて走行する光テープ５３に対する情報の記録が行われ、また、情報再生部６１により、記録媒体駆動制御部５２によって駆動されて走行する光テープ５３からのそれに記録された情報の再生が行われる。記録媒体駆動制御部５２及び光テープ５３は、図１５に示されるそれらと同様のものである。
【０１４１】
情報記録部６０は、図１１に示される本願の特許請求の範囲における請求項５から請求項１２までのいずれかに記載された発明に係る情報記録装置の一例の要部と同様に構成されており、図１６にあっては、情報記録部６０における各部及び各信号が図１１に示される情報記録装置の一例の要部における対応する部分及び信号と共通の符号が付されてあらわされていて、それらについての重複説明は省略される。
【０１４２】
また、情報再生部６１は、図１５に示される情報再生部５１と同様に構成されており、図１６にあっては、情報再生部６１における各部及び各信号が図１５に示される情報再生部５１における対応する部分及び信号と共通の符号が付されてあらわされていて、それらについての重複説明は省略される。
【０１４３】
このような図１６に示される情報記録再生装置の例にあっても、上述の図１５に示される情報記録再生装置の例により得られるものと同様な作用効果が得られる。
【０１４４】
図１７は、本願の特許請求の範囲における請求項２１から請求項２８までのいずれかに記載された発明に係る情報記録再生装置の一例の要部を示す。この図１７に示される情報記録再生装置の例も、光記録媒体としてテープ状光記録媒体、即ち、光テープを用い、光テープに対する情報の記録及び再生を行うものとされている。
【０１４５】
図１７に示される情報記録再生装置の例にあっては、複数のレーザ光ビームを連続的に発する光源部を成す一次元ダイオードアレイ７１が備えられている。この一次元ダイオードアレイ７１は、図１及び図２に示される一次元ダイオードアレイ２１と同様のものであって、例えば、各々が単一のレーザ光ビームを発する複数のレーザダイオードが線状に配列配置されて形成される。従って、一次元ダイオードアレイ７１からは、複数のレーザダイオードの線状の配列配置に応じて配列配置されたもの、換言すれば、実質的に共通面内に配列配置されたものとされる複数のレーザ光ビームが発せられる。
【０１４６】
一次元ダイオードアレイ７１に関連して、変調制御信号送出部７２が設けられている。変調制御信号送出部７２には、図１に示される変調制御信号送出部２３と同様のものであって、記録されるべき情報をあらわす記録信号ＳＳが供給されるが、その記録信号ＳＳに応じて、記録されるべき情報に基づく複数の変調制御信号ＳＭＤを形成して、それらを一次元ダイオードアレイ７１における複数のレーザダイオードに夫々供給する状態と、記録信号ＳＳには関わりなく、予め設定された複数の変調制御信号ＳＮＭを形成して、それらを一次元ダイオードアレイ７１における複数のレーザダイオードに夫々供給する状態とをとる。
【０１４７】
一次元ダイオードアレイ７１における複数のレーザダイオードの夫々は、変調制御信号送出部７２からの記録されるべき情報に基づく複数の変調制御信号ＳＭＤが供給されるとき、それが発するレーザ光ビームを、変調制御信号ＳＭＤに応じた強度変化を伴うもの、即ち、変調制御信号ＳＭＤに応じて変調されたものとなし、また、変調制御信号送出部７２からの予め設定された複数の変調制御信号ＳＮＭが供給されるとき、それが発するレーザ光ビームを、変調されることなく一定の強度を有したものとなす。
【０１４８】
それにより、一次元ダイオードアレイ７１からは、記録されるべき情報に基づく複数の変調制御信号ＳＭＤに応じて変調された複数のレーザ光ビーム、もしくは、変調されていない複数のレーザ光ビームが、複数のレーザダイオードの線状の配列配置に応じて配列配置されたもの、換言すれば、実質的に共通面内に配列配置されたものとされて発せられる。
【０１４９】
一次元ダイオードアレイ７１から得られる、実質的に共通面内に配列配置された複数のレーザ光ビームは、光ビーム平行化レンズ等を含んだ光学系７３を通じて、偏光ビームスプリッタ７４に入射する。この偏光ビームスプリッタ７４に入射する一次元ダイオードアレイ７１から得られる複数のレーザ光ビームは、偏光ビームスプリッタ７４を透過する。そして、偏光ビームスプリッタ７４を透過した複数のレーザ光ビームは、１／４波長板７５を通過し、光ビーム制御を行う光学系７６を通じて、記録媒体駆動制御部７７によって駆動されて走行する光記録媒体である光テープ７８に入射する。
【０１５０】
光ビーム制御を行う光学系７６は、１／４波長板７５を通過した、実質的に共通面内に配列配置された複数のレーザ光ビームを、それらの夫々について、ビーム径を縮小させるべく絞り込んで、光テープ７８に入射させるとともに、光テープ７８に入射する複数のレーザ光ビームの夫々に、光テープ７８上において適正な集束状態をとらせるフォーカス制御と、光テープ７８に入射する複数のレーザ光ビームの夫々を、光テープ７８上における適正な位置に入射させるトラッキング制御とを行う。
【０１５１】
また、光学系７６は、光テープ７８に入射する複数のレーザ光ビームに対しては、図１に示される光ビーム制御を行う光学系２４が光テープ２６に入射する複数の変調レーザ光ビームに対して及ぼす作用と同様の作用を及ぼし、１／４波長板７５を通過した、実質的に共通面内に配列配置された複数のレーザ光ビームを、それらについての幾何光学像が回折限界を越えて小とされる状態にまで絞り込んで、記録媒体駆動制御部７７によって駆動されて走行する光テープ７８に入射させる状態、あるいは、１／４波長板７５を通過した、実質的に共通面内に配列配置された複数のレーザ光ビームを、それらについての幾何光学像が実質的に回折限界のもとで得られる状態とすべく絞り込んで、記録媒体駆動制御部７７によって駆動されて走行する光テープ７８に、その走行方向に対して９０度もしくは１８０度以外の所定の角度をなす方向に線状に配列配置された光スポットを形成するものとして入射させる状態をとる。
【０１５２】
光テープ７８に入射する複数のレーザ光ビームが、一次元ダイオードアレイ７１から変調制御信号ＳＭＤに応じて変調されて得られるものである場合には、変調制御信号ＳＭＤに応じて変調された複数のレーザ光ビームによって、光テープ７８に記録されるべき情報の記録が行われる。
【０１５３】
一方、光テープ７８に入射する複数のレーザ光ビームが、一次元ダイオードアレイ７１から変調されることなく得られるものである場合には、光テープ７８は、複数の記録トラックをもって情報が記録されたものとされ、光ビーム制御を行う光学系７６によって、複数のレーザ光ビームが複数の記録トラックに夫々適正に入射するものとされる。
【０１５４】
光テープ７８に形成された複数の記録トラックに夫々入射するものとされる複数のレーザ光ビームの各々は、複数の記録トラックの夫々に記録された情報に応じた変調を受けるとともに、複数の記録トラックの夫々において反射し、光学系７６に向かうものとして得られる。このようにして、光テープ７８から得られる複数のレーザ光ビームは、光学系７６及び１／４波長板７５を通過して、偏光ビームスプリッタ７４に入射する。この偏光ビームスプリッタ７４に入射する光テープ７８から得られる複数のレーザ光ビームは、１／４波長板７５を往復して通過したことになるので、偏光ビームスプリッタ７４に入射する一次元ダイオードアレイ７１からの複数のレーザ光ビームに比して偏光面が９０°回転したものとなっており、偏光ビームスプリッタ７４において図１７における右方に反射する。
【０１５５】
偏光ビームスプリッタ７４において反射した複数のレーザ光ビームは、光ビームスプリッタ８０に入射し、その一部が、光ビームスプリッタ８０において図１７における下方に反射され、例えば、シリンドリカルレンズ等の光学素子８１を通じて、フォーカス・トラッキング検出部８２に入射するとともに、他の一部が、光ビームスプリッタ８０を透過し、例えば、集光レンズ等の光学素子８３を通じて、光検出部８４に入射する。
【０１５６】
フォーカス・トラッキング検出部８２は、光学素子８１を通じて入射する複数のレーザ光ビームに応じて、光テープ７８に入射する複数のレーザ光ビームについてのフォーカス状態をあらわす出力信号ＳＦ及びトラッキング状態をあらわす出力信号ＳＴを送出する。これらの出力信号ＳＦ及びＳＴは、ビーム制御を行う光学系７６における光テープ７８に入射する複数のレーザ光ビームの夫々に対するフォーカス制御及びトラッキング制御に用いられる。
【０１５７】
また、光検出部８４は、各々が光学素子８３を通じて入射する複数のレーザ光ビームの夫々の変化に応じて変化する複数の出力信号ＳＩＮを得て、それらを情報再生部８５に供給する。情報再生部８５は、光検出部８４からの複数の出力信号ＳＩＮに基づいて、光テープ７８に記録された情報の再生を行う。
【０１５８】
このような図１７に示される情報記録再生装置の例において、光テープ７８に対する記録されるべき情報の記録が行われる際には、変調制御信号送出部７２から、記録信号ＳＳに応じて形成された、記録されるべき情報に基づく複数の変調制御信号ＳＭＤが送出され、それらが一次元ダイオードアレイ７１における複数のレーザダイオードに夫々供給される。それにより、一次元ダイオードアレイ７１から、変調制御信号ＳＭＤに応じて変調された複数のレーザ光ビームが、実質的に共通面内に配列配置されたものとして得られる。
【０１５９】
一次元ダイオードアレイ７１から得られる変調制御信号ＳＭＤに応じて変調された複数のレーザ光ビームは、光学系７３，偏光ビームスプリッタ７４及び１／４波長板７５を経て、ビーム制御を行う光学系７６に到達し、光学系７６によるフォーカス制御及びトラッキング制御を受けるもとで、記録媒体駆動制御部７７によって駆動されて走行する光テープ７８に入射する。その結果、光テープ７８に対する、変調制御信号ＳＭＤに応じて変調された複数のレーザ光ビームによる、記録されるべき情報の記録が行われ、光テープ７８上に、記録されるべき情報が記録された複数の記録トラックが形成される。
【０１６０】
その際、光学系７６は、１／４波長板７５を通過した、変調制御信号ＳＭＤに応じて変調されて、実質的に共通面内に配列配置された複数のレーザ光ビームを、それらについての幾何光学像が回折限界を越えて小とされる状態にまで絞り込んで、光テープ７８に入射させる状態、あるいは、１／４波長板７５を通過した、変調制御信号ＳＭＤに応じて変調されて、実質的に共通面内に配列配置された複数のレーザ光ビームを、それらについての幾何光学像が実質的に回折限界のもとで得られる状態とすべく絞り込んで、光テープ７８に、その走行方向に対して９０度もしくは１８０度以外の所定の角度をなす方向に線状に配列配置された光スポットを形成するものとして入射させる状態をとる。
【０１６１】
このような光テープ７８に対する情報の記録は、図６，図８もしくは図１０に示される光テープ２６に形成された記録トラックＣＨ１’，ＣＨ２’，ＣＨ３’，・・・，ＣＨｎ’もしくはＣＨＳ１，ＣＨＳ２，ＣＨＳ３，・・・，ＣＨＳｎと同様な、各々が光テープ７８の走行方向に沿って伸びる、光テープ７８に入射するレーザ光ビームの数に応じた複数の記録トラックが、必要最小限のガードバンドを伴うものとして、光テープ７８状に形成されるもとで行われる。斯かる複数の記録トラックの夫々は、それに対応するレーザ光ビームの変調状態に応じた記録パターンを有するものとされる。
【０１６２】
変調制御信号ＳＭＤに応じて変調された複数のレーザ光ビームによる光テープ７８に対する情報の記録が行われるにあたり、光テープ７８に入射する実質的に共通面内に配列配置された複数のレーザ光ビームが、光テープ７８上にその走行方向に対して９０度もしくは１８０度以外の所定の角度をなす方向に線状に配列配置された光スポットを形成するものとされる場合には、光テープ７８に複数の記録トラックをもって記録される情報は、特定の角度に応じた一定の記録トラック間位相差を有するものとされることになる。
【０１６３】
一方、図１７に示される光テープ記録再生装置の例において、光テープ７８に記録された情報の再生が行われる際には、変調制御信号送出部７２から予め設定された複数の変調制御信号ＳＮＭが送出され、それらが一次元ダイオードアレイ７１における複数のレーザダイオードに夫々供給される。それにより、一次元ダイオードアレイ７１から、変調されることなく一定の強度を有した、複数のレーザ光ビームが、実質的に共通面内に配列配置されたものとして得られる。
【０１６４】
一次元ダイオードアレイ７１から得られる変調されていない複数のレーザ光ビームは、光学系７３，偏光ビームスプリッタ７４及び１／４波長板７５を経て、ビーム制御を行う光学系７６に到達し、光学系７６によるフォーカス制御及びトラッキング制御を受けるもとで光テープ７８に入射する。斯かる際には、光テープ７８には、図６，図８もしくは図１０に示される光テープ２６に形成された記録トラックＣＨ１’，ＣＨ２’，ＣＨ３’，・・・，ＣＨｎ’もしくはＣＨＳ１，ＣＨＳ２，ＣＨＳ３，・・・，ＣＨＳｎと同様な、情報が記録された複数の記録トラックが、必要最小限のガードバンドを伴うものとして形成されている。そして、光学系７６によって、複数のレーザ光ビームの光テープ７８における入射位置が、複数の記録トラックに夫々適正に合致するものとされる。
【０１６５】
斯かる際にも、光学系７６は、１／４波長板７５を通過した、変調されていない、実質的に共通面内に配列配置された複数のレーザ光ビームを、それらについての幾何光学像が回折限界を越えて小とされる状態にまで絞り込んで、光テープ７８に入射させる状態、あるいは、１／４波長板７５を通過した、変調されていない、実質的に共通面内に配列配置された複数のレーザ光ビームを、それらについての幾何光学像が実質的に回折限界のもとで得られる状態とすべく絞り込んで、光テープ７８に、その走行方向に対して９０度もしくは１８０度以外の所定の角度をなす方向に線状に配列配置された光スポットを形成するものとして入射させる状態をとる。
【０１６６】
入射位置が、光テープ７８に形成された複数の記録トラックに夫々適正に合致するものとされる複数のレーザ光ビームの各々は、複数の記録トラックの夫々において、そこに記録された情報に応じて変調されるとともに反射し、光テープ７８から光学系７６に向かうものとして得られる。光テープ７８から得られる光テープ７８に記録された情報に応じて変調された複数のレーザ光ビームは、光学系７６及び１／４波長板７５を通過し、偏光ビームスプリッタ７４において反射し、光ビームスプリッタ８０によって、光学素子８１を通じてフォーカス・トラッキング検出部８２に分割入射するとともに、光学素子８３を通じて光検出部８４に分割入射するものとされる。
【０１６７】
それにより、フォーカス・トラッキング検出部８２からは、光テープ７８に入射する複数のレーザ光ビームについてのフォーカス状態をあらわす出力信号ＳＦ及びトラッキング状態をあらわす出力信号ＳＴが得られ、また、光検出部８４からは、光テープ７８に記録された情報に応じて変調された複数のレーザ光ビームの夫々の変化に応じて変化する複数の出力信号ＳＩＮが得られて、それらが情報再生部８５に供給される。その結果、情報再生部８５において、光検出部８４からの複数の出力信号ＳＩＮに基づき、光テープ７８に記録された情報が再生される。
【０１６８】
上述の如くの図１７に示される情報記録再生装置の例にあっては、光テープ７８にガードバンドが必要最小限とされた記録トラックを形成して情報を記録することができる状態をもって、光テープ７８に対する無接触情報記録を行うことができ、しかも、複数のレーザ光ビームを透過あるいは反射させる複数の光学手段の位置関係についての設定及び維持における困難さが軽減されることになるとともに、複数の光ビームの利用率の改善が図られる。さらに、光テープ７８から再生すべき情報が、記録されるべき情報に基づく変調制御信号に応じて変調されて実質的に共通面内に配列配置され、光テープ７８上に線状に配列配置される光スポットを形成する複数のレーザ光ビームによって、光テープ７８に記録されたものとされるので、光テープ７８に記録された情報の再生が、複雑な信号処理が要されることなく、比較的容易に行われることになる。
【０１６９】
図１８は、本願の特許請求の範囲における請求項２１から請求項２８までのいずれかに記載された発明に係る情報記録再生装置の他の例の要部を示す。この図１８に示される情報記録再生装置の例も、光記録媒体としてテープ状光記録媒体、即ち、光テープを用い、光テープに対する情報の記録及び再生を行うものとされている。
【０１７０】
図１８に示される情報記録再生装置の例の要部は、図１７に示される情報記録再生装置の例の要部と同様の構成要素をもって構成されており、図１８にあっては、そこに示される情報記録再生装置の例の要部の各部及び信号が、図１７に示される情報記録再生装置の例の要部における対応する部分及び信号と共通の符号が付されてあらわされていて、それらについての重複説明は省略される。
【０１７１】
図１８に示される情報記録再生装置の例は、図１７に示される情報記録再生装置の例とは、偏光ビームスプリッタ７４の偏光特性と、一次元ダイオードアレイ７１，変調制御信号送出部７２及び光学系７３を含む部分、及び、光ビームスプリッタ８０，光学素子８１，フォーカス・トラッキング検出部８２，光学素子８３，光検出部８４及び情報再生部８５を含む部分の配置関係と、が異なるものとされている。
【０１７２】
そして、図１８に示される情報記録再生装置の例にあっては、一次元ダイオードアレイ７１から、変調制御信号ＳＭＤに応じて変調されて、あるいは、変調されることなく一定の強度を有して得られる複数のレーザ光ビームが、光学系７３を通じて偏光ビームスプリッタ７４に入射し、偏光ビームスプリッタ７４において図１８における上方に反射して、１／４波長板７５及び光学系７６を通じて光テープ７８に入射する。
【０１７３】
さらに、光テープ７８からの、光テープ７８に記録された情報に応じて変調された複数のレーザ光ビームが、光学系７６及び１／４波長板７５を通じて偏光ビームスプリッタ７４に入射し、偏光ビームスプリッタ７４を透過して進んで光ビームスプリッタ８０に入射し、その一部が、光ビームスプリッタ８０を透過して、光学素子８１を通じてフォーカス／トラッキング検出部８２に入射するとともに、他の一部が、光ビームスプリッタ８０において図１８における左方に反射され、光学素子８３を通じて光検出部８４に入射する。
【０１７４】
このようなもとで、一次元ダイオードアレイ７１，変調制御信号送出部７２，光学系７６，フォーカス／トラッキング検出部８２及び情報再生部８５等の夫々における動作は、図１７に示される情報記録再生装置の例の場合と同様である。それゆえ、図１８に示される情報記録再生装置の例により得られる作用効果も、図１７に示される情報記録再生装置の例の場合と同様である。
【０１７５】
図１９は、本願の特許請求の範囲における請求項２９から請求項３６までのいずれかに記載された発明に係る情報記録再生装置の一例の要部を示す。この図１９に示される情報記録再生装置の例も、光記録媒体としてテープ状光記録媒体、即ち、光テープを用い、光テープに対する情報の記録及び再生を行うものとされている。
【０１７６】
図１９に示される情報記録再生装置の例にあっては、レーザ光ビームを連続的に発する光源部を成すレーザ光源９１、及び、レーザ光源９１から発せられたレーザ光ビームが入射する、複数のレンズ等の光学素子を含んで構成される光学系９２が備えられている。これらのレーザ光源９１及び光学系９２は、前述の図１１に示される情報記録装置の例におけるレーザ光源３１及び光学系３２と同様とされ、例えば、レーザ光源９１が図２に示される一次元ダイオードアレイ２１によって構成されるとともに、光学系９２が図１３示される光ビーム平行化レンズ３６と集光レンズ３７とを含んで構成されて、光学系９２から実質的に共通面内に配列配置されたものとされる複数のレーザ光ビームが導出されるものとされる。
【０１７７】
光学系９２から導出される複数のレーザ光ビームは、偏光ビームスプリッタ９３に入射し、偏光ビームスプリッタ９３において図１９における下方に向って反射し、１／４波長板９４を通過して、集光レンズ９５に入射する。集光レンズ９５は、１／４波長板９４を通過したレーザ光ビームを、一次元光変調部９６に集光入射させる。
【０１７８】
一次元光変調部９６は、図１１に示される情報記録装置の例における一次元光変調部３３と同様なものとされる。そして、例えば、図１２に示される一次元光変調部３３が、平板状支持部材３４に複数の光変調手段である反射型光変調器３５が、隣り合う二つが隣接するものとして線状に配列配置されたものとされているのと同様に、一次元光変調部９６は、平板状支持部材３４に相当する平板状支持部材に、複数の光変調手段である、反射型光変調器３５に相当する反射型光変調器が、隣り合う二つが近接するものとして線状に配列配置されたものとされる。
【０１７９】
一次元光変調部９６に入射する、実質的に共通面内に配列配置されたものとされる複数のレーザ光ビームは、その配列方向を一次元光変調部９６における線状に配列配置された複数の反射型光変調器の配列方向に一致する状態とされて、複数の反射型光変調器に入射する。それにより、図１４に示される一次元光変調部３３の場合と同様に、一次元光変調部９６において、線状に配列配置された複数の反射型光変調器を照射するようにして、複数のレーザ光ビームによる複数の光スポットが形成される。
【０１８０】
一次元光変調部９６に関連して、変調制御信号送出部９７が設けられており、変調制御信号送出部９７には、記録されるべき情報をあらわす記録信号ＳＳが供給される。斯かるもとで、変調制御信号送出部９７は、記録信号ＳＳに応じて、記録されるべき情報に基づく複数の変調制御信号ＳＭＥを形成する状態、もしくは、記録信号ＳＳとは関わりなく、予め設定された複数の変調制御信号ＳＯＭを形成する状態をとり、複数の変調制御信号ＳＭＥもしくは複数の変調制御信号ＳＯＭを、一次元光変調部９６における線状に配列配置された複数の反射型光変調器に夫々供給する。
【０１８１】
それにより、一次元光変調部９６における複数の反射型光変調器の各々は、変調制御信号送出部９７から記録されるべき情報に基づく複数の変調制御信号ＳＭＥが供給されるときには、線状に配列配置された複数の反射型光変調器を夫々照射する複数の光スポットを形成して入射する複数のレーザ光ビームを、変調制御信号ＳＭＥに応じて変調するとともに反射させる。斯かる複数の反射型光変調器の各々によるレーザ光ビームの変調は、入射するレーザ光ビームについての反射量を変調制御信号ＳＭＥに応じて変化させることによって行われる。
【０１８２】
また、一次元光変調部９６における複数の反射型光変調器の各々は、変調制御信号送出部９７から予め設定された複数の変調制御信号ＳＯＭが供給されるときには、線状に配列配置された複数の反射型光変調器を夫々照射する複数の光スポットを形成して入射する複数のレーザ光ビームを、変調することなく一定の反射量をもって反射させる。
【０１８３】
その結果、一次元光変調部９６からは、その共通平面部に線状に配列配置された複数の反射型光変調器において夫々変調制御信号ＳＭＥに応じて変調されるとともに反射した複数のレーザ光ビーム、もしくは、その共通平面部に二次元的に配列配置された複数の反射型光変調器において夫々変調されることなく反射した複数のレーザ光ビームが、複数の反射型光変調器の配列配置に応じて配列配置されたもの、換言すれば、実質的に共通面内に配列配置されたものとして得られ、集光レンズ９５に向かって導出される。
【０１８４】
一次元光変調部９６から得られる複数のレーザ光ビームは、集光レンズ９５及び１／４波長板９４を通過して、偏光ビームスプリッタ９３に入射する。この偏光ビームスプリッタ９３に入射する一次元光変調部９６から得られる複数のレーザ光ビームは、１／４波長板９４を往復して通過したことになるので、偏光ビームスプリッタ９３に入射する光学系９２からのレーザ光ビームに比して偏光面が９０°回転したものとなっており、偏光ビームスプリッタ９３を透過する。そして、偏光ビームスプリッタ９３を透過した複数のレーザ光ビームは、１／４波長板９８を通過し、光ビーム制御を行う光学系９９を通じて、記録媒体駆動制御部１００によって駆動されて走行する光記録媒体である光テープ１０１に入射する。
【０１８５】
光ビーム制御を行う光学系９９は、１／４波長板９８を通過した、実質的に共通面内に配列配置された複数のレーザ光ビームを、それらの夫々について、ビーム径を縮小させるべく絞り込んで、光テープ１０１に入射させるとともに、光テープ１０１に入射する複数のレーザ光ビームの夫々に、光テープ１０１上において適正な集束状態をとらせるフォーカス制御と、光テープ１０１に入射する複数のレーザ光ビームの夫々を、光テープ１０１上における適正な位置に入射させるトラッキング制御とを行う。
【０１８６】
また、光学系９９は、光テープ１０１に入射する複数のレーザ光ビームに対しては、図１に示される光ビーム制御を行う光学系２４が光テープ２６に入射する複数の変調レーザ光ビームに対して及ぼす作用と同様の作用を及ぼし、１／４波長板９８を通過した、実質的に共通面内に配列配置された複数のレーザ光ビームを、それらについての幾何光学像が回折限界を越えて小とされる状態にまで絞り込んで、記録媒体駆動制御部１００によって駆動されて走行する光テープ１０１に入射させる状態、あるいは、１／４波長板９８を通過した、実質的に共通面内に配列配置された複数のレーザ光ビームを、それらについての幾何光学像が実質的に回折限界のもとで得られる状態とすべく絞り込んで、記録媒体駆動制御部１００によって駆動されて走行する光テープ１０１に、その走行方向に対して９０度もしくは１８０度以外の所定の角度をなす方向に線状に配列配置された光スポットを形成するものとして入射させる状態をとる。
【０１８７】
光テープ１０１に入射する複数のレーザ光ビームが、一次元光変調部９６において変調制御信号ＳＭＥに応じて変調されるとともに反射して得られるものである場合には、変調制御信号ＳＭＥに応じて変調された複数のレーザ光ビームによって、光テープ１０１に記録されるべき情報の記録が行われる。
【０１８８】
一方、光テープ１０１に入射する複数のレーザ光ビームが、一次元光変調部９６において変調されることなく反射して得られるものである場合には、光テープ１０１は、複数の記録トラックをもって情報が記録されたものとされ、光ビーム制御を行う光学系９９によって、複数のレーザ光ビームが複数の記録トラックに夫々適正に入射するものとされる。
【０１８９】
光テープ１０１に形成された複数の記録トラックに夫々入射するものとされる複数のレーザ光ビームの各々は、複数の記録トラックの夫々に記録された情報に応じた変調を受けるとともに、複数の記録トラックの夫々において反射し、光学系９９に向かうものとして得られる。このようにして、光テープ１０１から得られる複数のレーザ光ビームは、光学系９９及び１／４波長板９８を通過して、偏光ビームスプリッタ９３に入射する。この偏光ビームスプリッタ９３に入射する光テープ１０１から得られる複数のレーザ光ビームは、１／４波長板９８を往復して通過したことになるので、偏光ビームスプリッタ９３に入射する一次元光変調部９６からの複数のレーザ光ビームに比して偏光面が９０°回転したものとなっており、偏光ビームスプリッタ９３において図１９における右方に反射する。
【０１９０】
偏光ビームスプリッタ９３において反射した複数のレーザ光ビームは、光ビームスプリッタ１０２に入射し、その一部が、光ビームスプリッタ１０２において図１９における下方に反射され、例えば、シリンドリカルレンズ等の光学素子１０３を通じて、フォーカス・トラッキング検出部１０４に入射するとともに、他の一部が、光ビームスプリッタ１０２を透過し、例えば、集光レンズ等の光学素子１０５を通じて、光検出部１０６に入射する。
【０１９１】
フォーカス・トラッキング検出部１０４は、光学素子１０３を通じて入射する複数のレーザ光ビームに応じて、光テープ１０１に入射する複数のレーザ光ビームについてのフォーカス状態をあらわす出力信号ＳＦ及びトラッキング状態をあらわす出力信号ＳＴを送出する。これらの出力信号ＳＦ及びＳＴは、ビーム制御を行う光学系９９における光テープ１０１に入射する複数のレーザ光ビームの夫々に対するフォーカス制御及びトラッキング制御に用いられる。
【０１９２】
また、光検出部１０６は、各々が光学素子１０５を通じて入射する複数のレーザ光ビームの夫々の変化に応じて変化する複数の出力信号ＳＩＮを得て、それらを情報再生部１０７に供給する。情報再生部１０７は、光検出部１０６からの複数の出力信号ＳＩＮに基づいて、光テープ１０１に記録された情報の再生を行う。
【０１９３】
このような図１９に示される情報記録再生装置の例において、光テープ１０１に対する記録されるべき情報の記録が行われる際には、変調制御信号送出部９７から記録されるべき情報に基づく複数の変調制御信号ＳＭＥが送出され、それらが一次元光変調部９６における複数の反射型光変調器に夫々供給される。それにより、一次元光変調部９６から、その共通平面部に線状に配列配置された複数の反射型光変調器において夫々変調制御信号ＳＭＥに応じて変調されるとともに反射し、実質的に共通面内に配列配置された複数のレーザ光ビームが、集光レンズ９５に向かうものとして得られる。
【０１９４】
一次元光変調部９６から得られる変調制御信号ＳＭＥに応じて変調された複数のレーザ光ビームは、集光レンズ９５，１／４波長板９４，偏光ビームスプリッタ９３及び１／４波長板９８を経て、ビーム制御を行う光学系９９に到達し、光学系９９によるフォーカス制御及びトラッキング制御を受けるもとで、記録媒体駆動制御部１００によって駆動されて走行する光テープ１０１に入射する。その結果、光テープ１０１に対する、変調制御信号ＳＭＥに応じて変調された複数のレーザ光ビームによる、記録されるべき情報の記録が行われ、光テープ１０１上に、記録されるべき情報が記録された複数の記録トラックが形成される。
【０１９５】
その際、光学系９９は、１／４波長板９８を通過した、変調制御信号ＳＭＥに応じて変調されて、実質的に共通面内に配列配置された複数のレーザ光ビームを、それらについての幾何光学像が回折限界を越えて小とされる状態にまで絞り込んで、光テープ１０１に入射させる状態、あるいは、１／４波長板９８を通過した、変調制御信号ＳＭＥに応じて変調されて、実質的に共通面内に配列配置された複数のレーザ光ビームを、それらについての幾何光学像が実質的に回折限界のもとで得られる状態とすべく絞り込んで、光テープ１０１に、その走行方向に対して９０度もしくは１８０度以外の所定の角度をなす方向に線状に配列配置された光スポットを形成するものとして入射させる状態をとる。
【０１９６】
このような光テープ１０１に対する情報の記録は、図６，図８もしくは図１０に示される光テープ２６に形成された記録トラックＣＨ１’，ＣＨ２’，ＣＨ３’，・・・，ＣＨｎ’もしくはＣＨＳ１，ＣＨＳ２，ＣＨＳ３，・・・，ＣＨＳｎと同様な、各々が光テープ１０１の走行方向に沿って伸びる、光テープ１０１に入射するレーザ光ビームの数に応じた複数の記録トラックが、必要最小限のガードバンドを伴うものとして、光テープ１０１に形成されるもとで行われる。斯かる複数の記録トラックの夫々は、それに対応するレーザ光ビームの変調状態に応じた記録パターンを有するものとされる。
【０１９７】
変調制御信号ＳＭＥに応じて変調された複数のレーザ光ビームによる光テープ１０１に対する情報の記録が行われるにあたり、光テープ１０１に入射する実質的に共通面内に配列配置された複数のレーザ光ビームが、光テープ１０１上にその走行方向に対して９０度もしくは１８０度以外の所定の角度をなす方向に線状に配列配置された光スポットを形成するものとされる場合には、光テープ１０１に複数の記録トラックをもって記録される情報は、特定の角度に応じた一定の記録トラック間位相差を有するものとされることになる。
【０１９８】
一方、図１９に示される光テープ記録再生装置の例において、光テープ１０１に記録された情報の再生が行われる際には、変調制御信号送出部９７から予め設定された複数の変調制御信号ＳＯＭが送出され、それらが一次元光変調部９６における複数の反射型光変調器に夫々供給される。それにより、一次元光変調部９６から、変調されることなく一定の反射量をもって反射した、複数のレーザ光ビームが、実質的に共通面内に配列配置されたものとして得られる。
【０１９９】
一次元光変調部９６から得られる変調されていない複数のレーザ光ビームは、集光レンズ９５，１／４波長板９４，偏光ビームスプリッタ９３及び１／４波長板９８を経て、ビーム制御を行う光学系９９に到達し、光学系９９によるフォーカス制御及びトラッキング制御を受けるもとで光テープ１０１に入射する。斯かる際には、光テープ１０１には、図６，図８もしくは図１０に示される光テープ２６に形成された記録トラックＣＨ１’，ＣＨ２’，ＣＨ３’，・・・，ＣＨｎ’もしくはＣＨＳ１，ＣＨＳ２，ＣＨＳ３，・・・，ＣＨＳｎと同様な、情報が記録された複数の記録トラックが、必要最小限のガードバンドを伴うものとして形成されている。そして、光学系９９によって、複数のレーザ光ビームの光テープ１０１における入射位置が、複数の記録トラックに夫々適正に合致するものとされる。
【０２００】
斯かる際にも、光学系９９は、１／４波長板９８を通過した、変調されていない、実質的に共通面内に配列配置された複数のレーザ光ビームを、それらについての幾何光学像が回折限界を越えて小とされる状態にまで絞り込んで、光テープ１０１に入射させる状態、あるいは、１／４波長板９８を通過した、変調されていない、実質的に共通面内に配列配置された複数のレーザ光ビームを、それらについての幾何光学像が実質的に回折限界のもとで得られる状態とすべく絞り込んで、光テープ１０１に、その走行方向に対して９０度もしくは１８０度以外の所定の角度をなす方向に線状に配列配置された光スポットを形成するものとして入射させる状態をとる。
【０２０１】
入射位置が、光テープ１０１に形成された複数の記録トラックに夫々適正に合致するものとされる複数のレーザ光ビームの各々は、複数の記録トラックの夫々において、そこに記録された情報に応じて変調されるとともに反射し、光テープ１０１から光学系９９に向かうものとして得られる。光テープ１０１から得られる光テープ１０１に記録された情報に応じて変調された複数のレーザ光ビームは、光学系９９及び１／４波長板９８を通過し、偏光ビームスプリッタ９３において反射し、光ビームスプリッタ１０２によって、光学素子１０３を通じてフォーカス・トラッキング検出部１０４に分割入射するとともに、光学素子１０５を通じて光検出部１０６に分割入射するものとされる。
【０２０２】
それにより、フォーカス・トラッキング検出部１０４からは、光テープ１０１に入射する複数のレーザ光ビームについてのフォーカス状態をあらわす出力信号ＳＦ及びトラッキング状態をあらわす出力信号ＳＴが得られ、また、光検出部１０６からは、光テープ１０１に記録された情報に応じて変調された複数のレーザ光ビームの夫々の変化に応じて変化する複数の出力信号ＳＩＮが得られて、それらが情報再生部１０７に供給される。その結果、情報再生部１０７において、光検出部１０６からの複数の出力信号ＳＩＮに基づき、光テープ１０１に記録された情報が再生される。
【０２０３】
上述の如くの図１９に示される情報記録再生装置の例にあっても、光テープ１０１にガードバンドが必要最小限とされた記録トラックを形成して情報を記録することができる状態をもって、光テープ１０１に対する無接触情報記録を行うことができ、しかも、複数のレーザ光ビームを透過あるいは反射させる複数の光学手段の位置関係についての設定及び維持における困難さが軽減されることになるとともに、複数の光ビームの利用率の改善が図られる。さらに、光テープ１０１から再生すべき情報が、記録されるべき情報に基づく変調制御信号に応じて変調されて実質的に共通面内に配列配置され、光テープ１０１上に線状に配列配置される光スポットを形成する複数のレーザ光ビームによって、光テープ１０１に記録されたものとされるので、光テープ１０１に記録された情報の再生が、複雑な信号処理が要されることなく、比較的容易に行われることになる。
【０２０４】
図２０は、本願の特許請求の範囲における請求項２９から請求項３６までのいずれかに記載された発明に係る情報記録再生装置の他の例の要部を示す。この図２０に示される情報記録再生装置の例も、光記録媒体としてテープ状光記録媒体、即ち、光テープを用い、光テープに対する情報の記録及び再生を行うものとされている。
【０２０５】
図２０に示される情報記録再生装置の例の要部は、図１９に示される情報記録再生装置の例の要部と同様の構成要素をもって構成されており、図２０にあっては、そこに示される情報記録再生装置の例の要部の各部及び信号が、図１９に示される情報記録再生装置の例の要部における対応する部分及び信号と共通の符号が付されてあらわされていて、それらについての重複説明は省略される。
【０２０６】
図２０に示される情報記録再生装置の例は、図１９に示される情報記録再生装置の例とは、偏光ビームスプリッタ９３の偏光特性と、１／４波長板９４，集光レンズ９５，一次元光変調部９６及び変調制御信号送出部９７を含む部分、及び、光ビームスプリッタ１０２，光学素子１０３，フォーカス・トラッキング検出部１０４，光学素子１０５，光検出部１０６及び情報再生部１０７を含む部分の配置関係と、が異なるものとされている。
【０２０７】
そして、図２０に示される情報記録再生装置の例にあっては、レーザ光源９１から発して光学系９２を通じて、偏光ビームスプリッタ９３に入射するレーザ光ビームが、偏光ビームスプリッタ９３を透過して進み、１／４波長板９４及び集光レンズ９５を通じて一次元光変調部９６に入射する。また、一次元光変調部９６からの、一次元光変調部９６における線状に配列配置された複数の反射型光変調器において、記録されるべき情報に応じて変調されるとともに反射した複数のレーザ光ビーム、もしくは、一次元光変調部９６において変調されることなく一定の反射量をもって反射した複数のレーザ光ビームが、集光レンズ９５及び１／４波長板９４を通じて偏光ビームスプリッタ９３に入射し、偏光ビームスプリッタ９３において図２０における上方に反射して、１／４波長板９８及びビーム制御を行う光学系９９を通じて、光テープ１０１に入射する。
【０２０８】
さらに、光テープ１０１からの、光テープ１０１に記録された情報に応じて変調された複数のレーザ光ビームが、光学系９９及び１／４波長板９８を通じて偏光ビームスプリッタ９３に入射し、偏光ビームスプリッタ９３を透過して進んで光ビームスプリッタ１０２に入射して、その一部が、光ビームスプリッタ１０２において図２０における左方に反射され、光学素子１０３を通じてフォーカス・トラッキング検出部１０４に入射するとともに、他の一部が、光ビームスプリッタ１０２を透過して、光学素子１０５を通じて光検出部１０６に入射する。
【０２０９】
このようなもとて、一次元光変調部９６，変調制御信号送出部９７，光学系９９，フォーカス・トラッキング検出部１０４及び情報再生部１０７等の夫々における動作は、図１９に示される情報記録再生装置の例の場合と同様である。それゆえ、図２０に示される情報記録再生装置の例により得られる作用効果も、図１９に示される情報記録再生装置の例の場合と同様である。
【０２１０】
【発明の効果】
以上の説明から明らかな如く、本願の特許請求の範囲における請求項１から請求項３までのいずれかに記載された情報記録装置によれば、線状に配列配置された複数のレーザダイオードを備えた光源部が用いられて、記録されるべき情報に基づく変調制御信号に応じて変調された複数の光ビームが、複数のレーザダイオードの配列配置に応じた配列配置、即ち、実質的に共通面内に置かれる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２１１】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、光記録媒体に記録された情報の再生が、複雑な信号処理が要されることなく、比較的容易に行われ得ることになる。
【０２１２】
本願の特許請求の範囲における請求項４に記載された情報記録装置によれば、線状に配列配置された複数のレーザダイオードを備えた光源部が用いられて、記録されるべき情報に基づく変調制御信号に応じて変調された複数の光ビームが、複数のレーザダイオードの配列配置に応じた配列配置、即ち、実質的に共通面内に置かれる配列配置をもって形成され、それらが、幾何光学像が実質的に回折限界のもとで得られる状態とされるべく絞り込まれるとともに、走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２１３】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、テープ状光記録媒体に記録された情報の再生が、複雑な信号処理が要されることなく、比較的容易に行われ得ることになる。
【０２１４】
本願の特許請求の範囲における請求項５から請求項９までのいずれかに記載された情報記録装置によれば、線状に配列配置された複数のレーザダイオードを備えた光源部と線状に配列配置された複数の光変調手段を備えた一次元光変調部とが用いられて、記録されるべき情報に基づく変調制御信号に応じて変調された複数の光ビームが、複数の光変調手段の配列配置に応じた配列配置、即ち、実質的に共通面内に置かれる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２１５】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、光記録媒体に記録された情報の再生が、複雑な信号処理が要されることなく、比較的容易に行われ得ることになる。
【０２１６】
本願の特許請求の範囲における請求項１０から請求項１２までのいずれかに記載された情報記録装置によれば、線状に配列配置された複数のレーザダイオードを備えた光源部と線状に配列配置された複数の光変調手段を備えた一次元光変調部とが用いられて、記録されるべき情報に基づく変調制御信号に応じて変調された複数の光ビームが、複数の光変調手段の配列配置に応じた配列配置、即ち、実質的に共通面内に置かれる配列配置をもって形成され、それらが、幾何光学像が実質的に回折限界のもとで得られる状態とされるべく絞り込まれるとともに、走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２１７】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、テープ状光記録媒体に記録された情報の再生が、複雑な信号処理が要されることなく、比較的容易に行われ得ることになる。
【０２１８】
本願の特許請求の範囲における請求項１３または請求項１４に記載された情報記録再生装置によれば、線状に配列配置された複数のレーザダイオードを備えた第１の光源部が用いられて、記録されるべき情報に基づく変調制御信号に応じて変調された複数の光ビームが、複数のレーザダイオードの配列配置に応じた配列配置、即ち、実質的に共通面内に置かれる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２１９】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、例えば、第２の光源部からの光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【０２２０】
本願の特許請求の範囲における請求項１５または請求項１６に記載された情報記録再生装置によれば、線状に配列配置された複数のレーザダイオードを備えた第１の光源部が用いられて、記録されるべき情報に基づく変調制御信号に応じて変調された複数の光ビームが、複数のレーザダイオードの配列配置に応じた配列配置、即ち、実質的に共通面内に置かれる配列配置をもって形成され、それらが、幾何光学像が実質的に回折限界のもとで得られる状態とされるべく絞り込まれるとともに、走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２２１】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、例えば、第２の光源部からの光ビームが、記録媒体駆動制御部により駆動されるテープ状光記録媒体に入射するものとされて行われる、テープ状光記録媒体に記録された情報の再生が、情報再生部において、複雑な信号処理が要されることなく、比較的容易に行われ得ることになる。
【０２２２】
本願の特許請求の範囲における請求項１７または請求項１８に記載された情報記録再生装置によれば、線状に配列配置された複数のレーザダイオードを備えた第１の光源部と線状に配列配置された複数の光変調手段を備えた一次元光変調部とが用いられて、記録されるべき情報に基づく変調制御信号に応じて変調された複数の光ビームが、複数の光変調手段の配列配置に応じた配列配置、即ち、実質的に共通面内に置かれる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２２３】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、例えば、第２の光源部からの光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【０２２４】
本願の特許請求の範囲における請求項１９または請求項２０に記載された情報記録再生装置によれば、線状に配列配置された複数のレーザダイオードを備えた第１の光源部と線状に配列配置された複数の光変調手段を備えた一次元光変調部とが用いられて、記録されるべき情報に基づく変調制御信号に応じて変調された複数の光ビームが、複数の光変調手段の配列配置に応じた配列配置、即ち、実質的に共通面内に置かれる配列配置をもって形成され、それらが、幾何光学像が実質的に回折限界のもとで得られる状態とされるべく絞り込まれるとともに、走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２２５】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、例えば、第２の光源部からの光ビームが、記録媒体駆動制御部により駆動されるテープ状光記録媒体に入射するものとされて行われる、テープ状光記録媒体に記録された情報の再生が、情報再生部において、複雑な信号処理が要されることなく、比較的容易に行われ得ることになる。
【０２２６】
本願の特許請求の範囲における請求項２１から請求項２５までのいずれかに記載された情報記録再生装置によれば、複数のレーザダイオードが線状に配列配置されて成る一次元ダイオードアレイを含んで構成される光源部が用いられて、その光源部から、記録されるべき情報に基づく変調制御信号に応じて変調された複数の光ビーム、もしくは、変調を受けないものとされた複数の光ビームが、複数のレーザダイオードの配列配置に応じた配列配置、即ち、実質的に共通面内に配されることになる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２２７】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、変調を受けないものとされて実質的に共通面内に配列配置されることになる複数の光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【０２２８】
本願の特許請求の範囲における請求項２６から請求項２８までのいずれかに記載された情報記録再生装置によれば、複数のレーザダイオードが線状に配列配置されて成る一次元ダイオードアレイを含んで構成される光源部が用いられて、その光源部から、記録されるべき情報に基づく変調制御信号に応じて変調された複数の光ビーム、もしくは、変調を受けないものとされた複数の光ビームが、複数のレーザダイオードの配列配置に応じた配列配置、即ち、実質的に共通面内に配されることになる配列配置をもって形成され、それらが、幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２２９】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、変調を受けないものとされて実質的に共通面内に配列配置されることになる複数の光ビームが、記録媒体駆動制御部により駆動されて走行するテープ状光記録媒体に入射するものとされて行われる、テープ状光記録媒体に記録された情報の再生が、情報再生部において、複雑な信号処理が要されることなく、比較的容易に行われ得ることになる。
【０２３０】
本願の特許請求の範囲における請求項２９から請求項３３までのいずれかに記載された情報記録再生装置によれば、複数のレーザダイオードが線状に配列配置されて成る一次元ダイオードアレイを含んで構成される光源部と複数の光変調手段が線状に配列配置されて成る一次元光変調部とが用いられて、一次元光変調部から、記録されるべき情報に基づく変調制御信号に応じて変調された複数の光ビーム、もしくは、変調を受けないものとされた複数の光ビームが、複数の光変調手段の配列配置に応じた配列配置、即ち、実質的に共通面内に配されることになる配列配置をもって形成され、それらが、幾何光学像が回折限界を越えて小とされる状態にまで絞り込まれて、記録媒体駆動制御部により駆動される光記録媒体に入射するものとされるので、光記録媒体にガードバンドが必要最小限とされた記録トラックを形成して情報を記録することができる状態をもって、光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２３１】
さらに、光記録媒体における記録されるべき情報の記録が、記録されるべき情報に基づく変調制御信号に応じて変調されて、実質的に共通面内に配列配置されることになる複数の光ビームが光記録媒体に入射することにより、光記録媒体上に線状に配列配置される光スポットが形成されるもとで行われるので、変調を受けないものとされて実質的に共通面内に配列配置されることになる複数の光ビームが、記録媒体駆動制御部により駆動される光記録媒体に入射するものとされて行われる、光記録媒体に記録された情報の再生が、情報再生部において、複雑な信号処理が要されることなく、比較的容易に行われ得ることになる。
【０２３２】
本願の特許請求の範囲における請求項３４から請求項３６までのいずれかに記載された情報記録再生装置によれば、複数のレーザダイオードが線状に配列配置されて成る一次元ダイオードアレイを含んで構成される光源部と複数の光変調手段が線状に配列配置されて成る一次元光変調部とが用いられて、一次元光変調部から、記録されるべき情報に基づく変調制御信号に応じて変調された複数の光ビーム、もしくは、変調を受けないものとされた複数の光ビームが、複数の光変調手段の配列配置に応じた配列配置、即ち、実質的に共通面内に配されることになる配列配置をもって形成され、それらが、幾何光学像が実質的に回折限界のもとで得られる状態とされるべく絞り込まれて、記録媒体駆動制御部により駆動されて走行するテープ状光記録媒体に、その走行方向に対して所定の角度をなす方向に配列配置された光スポットを形成すべく入射するものとされるので、テープ状光記録媒体にガードバンドが必要最小限とされた記録トラックを形成して情報を記録することができる状態をもって、テープ状光記録媒体に対する無接触情報記録を行うことができ、しかも、複数の光ビームを透過もしくは反射させる複数の光学手段の位置関係についての設定及び維持における困難さが軽減されることになるとともに、複数の光ビームの利用率の改善が図られる。
【０２３３】
さらに、テープ状光記録媒体における記録されるべき情報の記録が、記録されるべき情報に基づく変調制御信号に応じて変調されて、実質的に共通面内に配列配置されることになる複数の光ビームがテープ状光記録媒体に入射することにより、テープ状光記録媒体上に線状に配列配置される光スポットが形成されるもとで行われるので、変調を受けないものとされて実質的に共通面内に配列配置されることになる複数の光ビームが、記録媒体駆動制御部により駆動されて走行するテープ状光記録媒体に入射するものとされて行われる、テープ状光記録媒体に記録された情報の再生が、情報再生部において、複雑な信号処理が要されることなく、比較的容易に行われ得ることになる。
【図面の簡単な説明】
【図１】本願の特許請求の範囲における請求項１から請求項４までのいずれかに記載された発明に係る情報記録装置の一例の要部を示すブロック接続図である。
【図２】図１に示される情報記録装置の例における一次元ダイオードアレイの構成例を示す図である。
【図３】図１に示される情報記録装置の例における光学系の説明に供される概念図である。
【図４】図１に示される情報記録装置の例による光テープに対する情報記録の説明に供される概念図である。
【図５】図１に示される情報記録装置の例における光学系の説明に供される概念図である。
【図６】図１に示される情報記録装置の例による光テープに対する情報記録の説明に供される概念図である。
【図７】図１に示される情報記録装置の例における光学系の説明に供される概念図である。
【図８】図１に示される情報記録装置の例による光テープに対する情報記録の説明に供される概念図である。
【図９】図１に示される情報記録装置の例における光学系の説明に供される概念図である。
【図１０】図１に示される情報記録装置の例による光テープに対する情報記録の説明に供される概念図である。
【図１１】本願の特許請求の範囲における請求項５から請求項１２までのいずれかに記載された発明に係る情報記録装置の一例の要部を示すブロック接続図である。
【図１２】図１１に示される情報記録装置の例における一次元光変調部の構成例を示す図である。
【図１３】図１１に示される情報記録装置の例におけるレーザ光源及びレーザ光源からのレーザ光ビームが入射する光学系についての一構成例を示す図である。
【図１４】図１３に示されるレーザ光源及び一次元光変調部についての構成例の説明に供される概念である。
【図１５】本願の特許請求の範囲における請求項１３から請求項１６までのいずれかに記載された発明に係る情報記録再生装置の一例の要部を示すブロック接続図である。
【図１６】本願の特許請求の範囲における請求項１７から請求項２０までのいずれかに記載された発明に係る情報記録再生装置の一例の要部を示すブロック接続図である。
【図１７】本願の特許請求の範囲における請求項２１から請求項２８までのいずれかに記載された発明に係る情報記録再生装置の一例の要部を示すブロック接続図である。
【図１８】本願の特許請求の範囲における請求項２１から請求項２８　までのいずれかに記載された発明に係る情報記録再生装置の他の例の要部を示すブロック接続図である。
【図１９】本願の特許請求の範囲における請求項２９　から請求項３６　までのいずれかに記載された発明に係る情報記録再生装置の一例の要部を示すブロック接続図である。
【図２０】本願の特許請求の範囲における請求項２９　から請求項３６　までのいずれかに記載された発明に係る情報記録再生装置の他の例の要部を示すブロック接続図である。
【図２１】従来提案されている光テープ記録再生装置の一例の要部を示すブロック接続図である。
【図２２】図２１に示される従来提案されている光テープ記録再生装置の例における二次元光変調部の説明に供される概念図である。
【図２３】図２１に示される従来提案されている光テープ記録再生装置の例における二次元光変調部の説明に供される概念図である。
【図２４】図２１に示される従来提案されている光テープ記録再生装置の例における二次元光変調部の説明に供される概念図である。
【図２５】図２１に示される従来提案されている光テープ記録再生装置の例による光テープに対する情報記録の説明に供される概念図である。
【図２６】従来提案されている光テープ記録再生装置の他の例における二次元レーザダイオードアレイを示す概念図である。
【図２７】図２６に示される二次元レーザダイオードアレイが用いられた従来提案されている光テープ記録再生装置による光テープに対する情報記録の説明に供される概念図である。
【図２８】図２６に示される二次元レーザダイオードアレイが用いられた従来提案されている光テープ記録再生装置による光テープに対する情報記録の説明に供される概念図である。
【符号の説明】
２１，７１・・・一次元ダイオードアレイ，　２２・・・レーザダイオード，２３，３９，７２，９７・・・変調制御信号送出部，　２４，３２，５６，５７，７３，７６，９２，９９・・・光学系，　２５，５２，７７，１００・・・記録媒体駆動制御部，　２６，５３，７８，１０１・・・光テープ，　３１，５５，９１・・・レーザ光源，　３３，９６・・・一次元光変調部，　３５・・・反射型光変調器，　５０，６０・・・情報記録部，　５１，５９，６１，８５，１０７・・・情報再生部，　５８，８４，１０６・・・光検出部，　７４，９３・・・偏光ビームスプリッタ，　７５，９４，９８・・・１／４波長板，　８０，１０２・・・光ビームスプリッタ，　８１，８３，１０３，１０５・・・光学素子，　８２，１０４・・・フォーカス・トラッキング検出部
【図１】
2004054985.tif 000003
【図２】
2004054985.tif 000004
【図３】
2004054985.tif 000005
【図４】
2004054985.tif 000006
【図５】
2004054985.tif 000007
【図６】
2004054985.tif 000008
【図７】
2004054985.tif 000009
【図８】
2004054985.tif 000010
【図９】
2004054985.tif 000011
【図１０】
2004054985.tif 000012
【図１１】
2004054985.tif 000013
【図１２】
2004054985.tif 000014
【図１３】
2004054985.tif 000015
【図１４】
2004054985.tif 000016
【図１５】
2004054985.tif 000017
【図１６】
2004054985.tif 000018
【図１７】
2004054985.tif 000019
【図１８】
2004054985.tif 000020
【図１９】
2004054985.tif 000021
【図２０】
2004054985.tif 000022
【図２１】
2004054985.tif 000023
【図２２】
2004054985.tif 000024
【図２３】
2004054985.tif 000025
【図２４】
2004054985.tif 000026
【図２５】
2004054985.tif 000027
【図２６】
2004054985.tif 000028
【図２７】
2004054985.tif 000029
【図２８】
2004054985.tif 000030